(57)【特許請求の範囲】
【請求項１】
或るイベントの発生に基づいて通知を決定する手段であって、前記通知は、前記イベントに関連付けられた通知型を含む、前記決定する手段と；
手首着用装置の手首密着部分上の位置に前記通知の表現の表示を生成する手段であって、前記手首密着部分は前記手首着用装置の主ディスプレイとは異なるものであり、前記通知の前記表現が前記通知型を示す、前記生成する手段と；
前記通知に関連付けられた通知選択入力を示す情報を受信する手段と；
前記通知選択入力に応じて、前記主ディスプレイに前記通知の異なる表現の表示を生成する手段と；
を備え、
前記手首密着部分における前記通知の前記表現の前記位置は、通知ステータスに基づいて、前記主ディスプレイの近くまたは遠くに決定され、
前記異なる表現は、前記手首密着部分上の前記通知の前記表現の詳細に関連する更なる詳細を含み、
前記手首密着部分は、前記手首着用装置のバンドである、
装置。
【請求項２】
前記通知が表示される前記手首密着部分の前記位置は、前記通知に関連する前記通知ステータスに基づいて決定される、請求項１に記載の装置。
【請求項３】
前記通知に関連付けられた通知属性を識別する手段を更に備える、請求項１に記載の装置。
【請求項４】
前記通知の前記表現の色が、緊急度、時間、用途、重要度、関連する通知の数、通知ステータス、または前記通知型のうちの少なくとも一つを示す、請求項１に記載の装置。
【請求項５】
前記通知が通知ステータスを含む、請求項１に記載の装置であって、
前記手首着用装置の前記手首密着部分上の前記通知の前記表現の前記位置であって、前記手首密着部分上に表された他の通知に対する前記位置を決定する手段を更に有する、
請求項１に記載の装置。
【請求項６】
前記通知の前記通知ステータスが異なる通知ステータスに変化したことを判断する手段と；
前記異なる通知ステータスに基づいて、前記手首着用装置の前記手首密着部分上の、前記通知の前記表現の異なる位置を決定する手段と；
前記手首着用装置の前記手首密着部分上の前記異なる位置に、前記通知の前記表現の表示を生成する手段と；
をさらに備える、請求項５に記載の装置。
【請求項７】
或るイベントの発生に基づいて通知を決定する手段であって、前記通知は、前記イベントに関連付けられた通知型を含む、前記決定する手段と；
手首着用装置の手首密着部分上の位置に前記通知の表現の表示を生成する手段であって、前記手首密着部分は前記手首着用装置の主ディスプレイとは異なるものであり、前記通知の前記表現が前記通知型を示す、前記生成する手段と；
前記通知に関連付けられた通知選択入力を示す情報を受信する手段と；
前記通知選択入力に応じて、前記主ディスプレイに前記通知の異なる表現の表示を生成する手段と；
を備え、
前記手首密着部分における前記通知の前記表現の前記位置は、通知ステータスに基づいて、前記主ディスプレイの近くまたは遠くに決定され、
前記異なる表現は、前記手首密着部分上の前記通知の前記表現の詳細に関連する更なる詳細を含み、
前記位置は、通知ステータスに基づいて、前記主ディスプレイの一方の側又は他方の側に決定される、装置。
【請求項８】
或るイベントの発生に基づいて通知を決定する手段であって、前記通知は、前記イベントに関連付けられた通知型を含む、前記決定する手段と；
手首着用装置の手首密着部分上の位置に前記通知の表現の表示を生成する手段であって、前記手首密着部分は前記手首着用装置の主ディスプレイとは異なるものであり、前記通知の前記表現が前記通知型を示す、前記生成する手段と；
前記通知に関連付けられた通知選択入力を示す情報を受信する手段と；
前記通知選択入力に応じて、前記主ディスプレイに前記通知の異なる表現の表示を生成する手段と；
を備え、
前記手首密着部分における前記通知の前記表現の前記位置は、通知ステータスに基づいて、前記主ディスプレイの近くまたは遠くに決定され、
前記異なる表現は、前記手首密着部分上の前記通知の前記表現の詳細に関連する更なる詳細を含み、
前記通知が通知ステータスを含む、
装置であって、更に、
前記手首着用装置の前記手首密着部分上の前記通知の前記表現の前記位置であって、前記手首密着部分上に表された他の通知に対する前記位置を決定する手段を有し、
前記通知ステータスは前記通知の緊急度を示し、
前記手首着用装置の前記手首密着部分上の前記通知の前記表現の前記位置の決定は、前記緊急度に基づいて行われる、
装置。
【請求項９】
或るイベントの発生に基づいて通知を決定することであって、前記通知は、前記イベントに関連付けられた通知型を含む、前記決定することと；
手首着用装置の手首密着部分上の位置に前記通知の表現の表示を生成することであって、前記手首密着部分は前記手首着用装置の主ディスプレイとは異なるものであり、前記通知の前記表現が前記通知型を示す、前記生成することと；
前記通知に関連付けられた通知選択入力を示す情報を受信することと；
前記通知選択入力に応じて、前記手首着用装置の前記主ディスプレイに前記通知の異なる表現の表示を生成することと；
を含み、
前記手首密着部分における前記通知前記位置は、通知ステータスに基づいて、前記主ディスプレイの近くまたは遠くに決定され、
前記異なる表現は、前記手首密着部分上の前記通知の前記表現の詳細に関連する更なる詳細を含み、
前記手首密着部分は、前記手首着用装置のバンドである、
方法。
【請求項１０】
前記手首着用装置が、前記通知に関連付けられた前記通知属性を識別することをさらに含む、請求項９に記載の方法。
【請求項１１】
前記通知の前記表現の前記色が、緊急度、時間、用途、重要度、関連する通知の数、通知ステータス、または前記通知型のうちの少なくとも一つを示す、請求項９に記載の方法。
【請求項１２】
前記通知が通知ステータスを含む、請求項９に記載の方法あって、
前記手首着用装置の前記手首密着部分上の前記通知の前記表現の前記位置であって、前記手首密着部分上に表された他の通知に対する前記位置を、前記通知ステータスに基づいて決定することを更に含む、方法。
【請求項１３】
前記通知の前記通知ステータスが異なる通知ステータスに変化したことを判断することと；
前記異なる通知ステータスに少なくとも部分的に基づいて、前記手首着用装置の前記手首密着部分上の、前記通知の前記表現の異なる位置を決定することと；
前記手首着用装置の前記手首密着部分上の前記異なる位置に、前記通知の前記表現の表示を生成することと；
をさらに含む、請求項１２に記載の方法。
【請求項１４】
或るイベントの発生に基づいて通知を決定することであって、前記通知は、前記イベントに関連付けられた通知型を含む、前記決定することと；
手首着用装置の手首密着部分上の位置に前記通知の表現の表示を生成することであって、前記手首密着部分は前記手首着用装置の主ディスプレイとは異なるものであり、前記通知の前記表現が前記通知型を示す、前記生成することと；
前記通知に関連付けられた通知選択入力を示す情報を受信することと；
前記通知選択入力に応じて、前記手首着用装置の前記主ディスプレイに前記通知の異なる表現の表示を生成することと；
を含み、
前記手首密着部分における前記通知前記位置は、通知ステータスに基づいて、前記主ディスプレイの近くまたは遠くに決定され、
前記異なる表現は、前記手首密着部分上の前記通知の前記表現の詳細に関連する更なる詳細を含み、
前記位置は、通知ステータスに基づいて、前記主ディスプレイの一方の側又は他方の側に決定される方法。
【請求項１５】
前記手首密着部分上の前記通知の前記位置は、少なくとも一つの行又は列の中にあり、前記少なくとも一つの行又は列は、前記通知に関連する通知属性に基づいて決定される、請求項１に記載の装置。
【請求項１６】
処理手段及び記憶手段を備える装置であって、前記記憶手段はプログラム命令を格納し、前記プログラム命令は、前記処理手段に実行されると、前記装置に、請求項９から１４のいずれか１項に記載の方法を遂行させるように構成される、装置。
【請求項１７】
装置の処理手段に実行されると、前記装置に、請求項９から１４のいずれか１項に記載の方法を遂行させるように構成されるプログラム命令を備える、コンピュータプログラム。
【発明の詳細な説明】
【技術分野】
【０００１】
本発明の実施形態の諸例は、一般に、例えば腕または手首など身体の一部に装着が可能な通知装置への一つ以上の通知の一つ以上の表現の表示の生成に関する。
【背景】
【０００２】
電子装置がそれらのユーザの生活においてますます増大する役割を果たすようになっているので、ユーザが電子装置によって伝達される情報を迅速且つ容易に理解可能なように、ユーザと電子装置との間でやり取りができることがますます望まれてきている。例えば、ユーザが、他の活動に従事していて、集中して見取るのに最適でない環境のときなどに、ユーザが、一目でどんな情報がユーザに伝達されようとしているのかを判断できるようにすることが望まれていよう。
【摘要】
【０００３】
本発明の実施形態の様々な例が、下記においておよび特許請求の範囲の中で述べられる。
【０００４】
本発明の第一態様の実施形態の一つ以上の例は、或るイベントの発生に少なくとも部分的に基づいて通知を決定することであって、該通知はそのイベントに関連付けられた通知型を含む、該決定することと、通知装置の第一細長ディスプレイ部上の位置に該通知の表現の表示を生成することであって、第一細長ディスプレイ部は通知装置の主ディスプレイとは異なるものであり、この通知の表現は通知型を示す、該生成することと、通知に関連付けられた通知選択入力を示す情報を受信することと、その通知選択入力に少なくとも部分的に基づいて、通知装置の他の場所に通知の異なる表現の表示を生成することと、を含む方法を提供する。
【０００５】
本第一態様の実施形態の一つ以上の例において、通知装置の他の場所に通知の異なる表現の表示を生成することは、主ディスプレイ上に通知の表示を生成することを含む。
【０００６】
本第一態様の実施形態の一つ以上の例において、通知装置は、第二細長ディスプレイ部をさらに備え、通知装置の他の場所に通知の異なる表現の表示を生成することは、通知装置の第二細長ディスプレイ部上の位置に通知の表示を生成することを含む。
【０００７】
本第一態様の実施形態の一つ以上の例において、通知装置は、身体ウェアラブル装置を備え、少なくとも一つの前記細長ディスプレイ部は、通知装置を身体の一部に取り付けるよう構成された身体接触部分を備える。
【０００８】
本第一態様の実施形態の一つ以上の例において、通知装置の第一細長ディスプレイ部上の位置に通知の表現の表示を生成することは、細長ディスプレイ上の位置に通知の表現の表示を生成することを含む。
【０００９】
本第一態様の実施形態の一つ以上の例において、少なくとも一つの身体接触部分は、通知装置を手首上に装着可能にできる手首接触部分を備える。
【００１０】
本第一態様の実施形態の一つ以上の例において、通知の表現は、その通知に関連付けられた少なくとも一つの通知属性を示す色を使って、細長ディスプレイ上に表示される。
【００１１】
本第一態様の実施形態の一つ以上の例において、通知の表現は、その通知に関連付けられた少なくとも一つの通知属性を示す可変光色を使って、細長ディスプレイ上に表示される。
【００１２】
本第一態様の実施形態の一つ以上の例において、通知の表現は、その通知に関連付けられた少なくとも一つの通知属性を示す点滅動作を使って、細長ディスプレイ上に表示される。周期的なオン／オフまたは光が強度を変化する速度によって、特定の通知属性を表現することができる。
【００１３】
本第一態様の実施形態の一つ以上の例において、本方法は、通知に関連付けられた通知属性を識別することをさらに含む。
【００１４】
本第一態様の実施形態の一つ以上の例において、通知の表現の色は、緊急度、時間、用途、重要性、関連する通知の数、通知ステータス、または通知型のうちの少なくとも一つを示す。
【００１５】
本第一態様の実施形態の一つ以上の例において、通知は、通知ステータスを含み、本方法は、該通知ステータスに少なくとも部分的に基づいて、通知装置の細長ディスプレイ部上の通知の表現の位置を決定することをさらに含む。
【００１６】
本第一態様の実施形態の一つ以上の例において、本方法は、通知の通知ステータスが異なった通知ステータスに変化したのを判断することと、該異なった通知ステータスに少なくとも部分的に基づいて、通知装置の細長ディスプレイ部上の通知の表現の異なる位置を決定することと、通知装置の細長ディスプレイ部上の異なる位置に通知の表現の表示を生成することと、をさらに含む。
【００１７】
第一態様の上記の実施形態の或る例において、前記細長ディスプレイ部の少なくとも一つに表示される一つ以上のさらなるイベントが、少なくとも一つの細長ディスプレイ部上の同じ通知表示属性を有する複数の通知表現を、前記細長ディスプレイ部上の異なる表示属性を有する一つの集合的表現で置き換えることをさらに含む。
【００１８】
本発明の別の態様の実施形態の少なくとも一つの例は、或るイベントの発生に少なくとも部分的に基づいて通知を決定させるための手段であって、該通知はそのイベントに関連付けられた通知型を含む、該決定させるための手段と、通知装置の細長ディスプレイ部上の位置に該通知の表現の表示を生成するための手段であって、該細長ディスプレイ部は通知装置の主ディスプレイとは異なるものであり、通知の表現は通知型を示す、該生成するための手段と、通知に関連付けられた通知選択入力を示す情報を受信するための手段と、その通知選択入力に少なくとも部分的に基づいて、通知装置の主ディスプレイに通知の異なる表現の表示を生成するための手段と、を備える装置を含む。
【００１９】
本発明の別の態様の実施形態の少なくとも一つの例は、少なくとも一つのプロセッサと、コンピュータプログラムコードを含む少なくとも一つのメモリとを備える装置であって、メモリおよびコンピュータプログラムコードは、該プロセッサと協働して、該装置に、少なくとも：少なくとも部分的に或るイベントの発生に基づいて通知を決定させることであって、該通知はそのイベントに関連付けられた通知型を含む、該決定させることと、通知装置の細長ディスプレイ部上の位置に該通知の表現の表示を生成することであって、細長ディスプレイ部は通知装置の主ディスプレイとは異なるものであり、通知の表現は通知型を示す、該生成することと、その通知に関連付けられた通知選択入力を示す情報を受信することと、その通知選択入力に少なくとも部分的に基づいて、通知装置の主ディスプレイに通知の異なる表現の表示を生成することと、を実行させるよう構成される装置を含む。
【００２０】
上記装置の態様の一つの或る実施形態の少なくとも一つの例において、本装置は、通知選択入力に少なくとも部分的に基づいて、通知装置の主ディスプレイに通知の異なる表現の表示を生成することの代わりにまたはこれに加えて、第二細長ディスプレイ部上に通知の異なる表現の表示を生成する。
【００２１】
上記装置の態様の一つの或る実施形態の少なくとも一つの例において、装置は、上記方法の態様の実施形態の例のいずれか一つの中で請求された方法を実行するように調整される。
【００２２】
上記装置の態様の一つの或る実施形態の少なくとも一つの例において、通知装置は、他方のデバイスからの情報を少なくとも受信するよう構成された対の一方のデバイスであり、他方のデバイスでイベントが生じ、それが他方のデバイスによってこの通知装置に連絡される。例えば、他方のデバイスは、短距離通信プロトコルを使って、この対の一方のデバイスにイベントを通知するメッセージをプッシュ送信することができる。本通知装置は、通知メッセージを受信し処理するための適切な受信手段をさらに備え、次いで、方法態様の実施形態の例による方法を実行する。
【００２３】
上記装置の態様の一つの或る実施形態の少なくとも一つの例において、本装置は通知装置を備える。
【００２４】
本発明の態様の実施形態の別の例は、命令を符号化されたコンピュータ可読媒体を含み、該命令は、プロセッサによって実行されると、上記の方法態様の実施形態の一例を実行するように調整される。
【００２５】
本発明の別の態様の実施形態の一つ以上の例は、少なくとも一つのプロセッサと、コンピュータプログラムコードを含む少なくとも一つのメモリとを備える装置であって、メモリおよびコンピュータプログラムコードは、該プロセッサと協働して、該装置に、少なくとも：或るイベントの発生に少なくとも部分的に基づいて通知を決定することであって、該通知はそのイベントに関連付けられた通知型を含む、該決定することと、主ディスプレイを有する通知装置の身体接触部分の或る位置に該通知の表現の表示を生成することであって、該身体接触部分は主ディスプレイとは異なるものであり、通知の表現は通知型を示す、該生成することと、その通知に関連付けられた通知選択入力を示す情報を受信することと、その通知選択入力に少なくとも部分的に基づいて、通知装置の主ディスプレイに通知の異なる表現の表示を生成することと、を実行させるよう構成される装置を提供する。
【００２６】
本発明の上記態様の実施形態の少なくとも一つの例において、通知装置は、使用時に身体の一部に装着するのに適した身体ウェアラブル装置を備える。本発明の上記態様の実施形態の少なくとも一つの例において、使用される通知装置は手首着用装置を備える。いくつかの実施形態において、この身体ウェアラブル装置は、例えば、腕、別の手足、または足首などの手足の部分、またはウエスト、首もしくは頭など、身体の他の部分への装着が可能である。この身体は、人間もしくは動物または他の物体でもよく、有生である必要はない。
【００２７】
本発明の態様の実施形態の少なくとも一つの例において、本装置は、少なくとも一つの前記細長ディスプレイ部および主ディスプレイをさらに備える。
【００２８】
本発明の別の態様の実施形態の一つ以上の例は、少なくとも一つのプロセッサと、コンピュータプログラムコードを含む少なくとも一つのメモリとを備える装置であって、メモリおよびコンピュータプログラムコードは、該プロセッサと協働して、該装置に、少なくとも：少なくとも部分的に或るイベントの発生に基づいて通知を決定することであって、該通知はそのイベントに関連付けられた通知型を含む、該決定することと、身体ウェアラブル装置の身体接触部分上の或る位置に該通知の表現の表示を生成することであって、該身体接触部分は主ディスプレイとは異なるものであり、この通知の表現は通知型を示す、該生成することと、その通知に関連付けられた通知選択入力を示す情報を受信することと、その通知選択入力に少なくとも部分的に基づいて、身体ウェアラブル装置の主ディスプレイに通知の異なる表現の表示を生成することと、を実行させるよう構成される装置を含む。
【００２９】
本発明の別の態様の実施形態の一つ以上の例は、少なくとも部分的に或るイベントの発生に基づいて通知を決定することであって、該通知はそのイベントに関連付けられた通知型を含む、該決定することと、身体着用装置の身体接触部分上の或る位置に該通知の表現の表示を生成することであって、該身体接触部分は主ディスプレイとは異なるものであり、この通知の表現は通知型を示す、該生成することと、その通知に関連付けられた通知選択入力を示す情報を受信することと、その通知選択入力に少なくとも部分的に基づいて、身体着用装置の主ディスプレイに通知の異なる表現の表示を生成することと、のためのコンピュータプログラム製品を提供する。
【００３０】
本発明の別の態様の実施形態の一つ以上の例は、少なくとも部分的に或るイベントの発生に基づいて通知を決定することであって、該通知はそのイベントに関連付けられた通知型を含む、該決定することと、身体着用装置の身体接触部分上の或る位置に該通知の表現の表示を生成することであって、該身体接触部分は主ディスプレイとは異なるものであり、この通知の表現は通知型を示す、該生成することと、その通知に関連付けられた通知選択入力を示す情報を受信することと、その通知選択入力に少なくとも部分的に基づいて、身体着用装置の主ディスプレイに通知の異なる表現の表示を生成することと、のためのコンピュータ可読媒体を提供する。
【００３１】
本発明の別の態様の実施形態の一つ以上の例は、少なくとも部分的に或るイベントの発生に基づいて通知を決定することであって、該通知はそのイベントに関連付けられた通知型を含む、該決定することと、身体着用装置の身体接触部分上の或る位置に該通知の表現の表示を生成することであって、該身体接触部分は主ディスプレイとは異なるものであり、この通知の表現は通知型を示す、該生成することと、その通知に関連付けられた通知選択入力を示す情報を受信することと、その通知選択入力に少なくとも部分的に基づいて、身体着用装置の主ディスプレイに通知の異なる表現の表示を生成することと、のための方法を提供する。
【００３２】
本発明の別の態様の実施形態の一つ以上の例は、本発明の方法の態様の実施形態の例を実行するための手段を備えるコンピュータ可読媒体を提供する。
【００３３】
本発明の別の態様の実施形態の一つ以上の例は、本発明の方法の態様の実施形態の例を実行するための手段を備える非一時的なコンピュータ可読媒体を提供する。
【００３４】
本発明の別の態様の実施形態の一つ以上の例は、本発明の方法態様の実施形態の例を実行するための手段を備えるコンピュータプログラム製品を提供する。
【００３５】
本発明の別の態様の実施形態の一つ以上の例は、或るイベントの発生に少なくとも部分的に基づいて通知を決定するための手段であって、該通知はそのイベントに関連付けられた通知型を含む、該決定するための手段と、身体着用装置の身体接触部分上の或る位置に該通知の表現の表示を生成するための手段であって、該身体接触部分は主ディスプレイとは異なるものであり、この通知の表現は通知型を示す、該生成するための手段と、その通知に関連付けられた通知選択入力を示す情報を受信するための手段と、その通知選択入力に少なくとも部分的に基づいて、身体着用装置の主ディスプレイに通知の異なる表現の表示を生成するための手段と、を備える装置を提供する。
【００３６】
本発明の態様の実施形態の少なくとも一つの例において、身体ウェアラブルまたは身体着用装置は、手首ウェアラブルまたは手首着用装置を備える。本装置を装着可能な身体部分の他の例には、身体の他の手足、またはウエスト、首もしくは頭が含まれる。この身体は、人間もしくは動物または他の物体でもよく、有生である必要はない。
【００３７】
或る実施形態の少なくとも一つの例において、身体着用装置の身体接触部分上の位置における通知の表現の表示は、身体着用装置の身体接触部分の身体接触部分ディスプレイ上の位置における通知の表現の表示を含む。
【００３８】
或る実施形態の少なくとも一つの例において、通知の異なる表現は、該通知に関連付けられたテキスト情報を含む。
【００３９】
諸実施形態の一つ以上の例は、通知に関連付けられた通知属性の識別をさらに実行する。
【００４０】
或る実施形態の少なくとも一つの例において、通知の表現の色が、該通知に関連付けられた少なくとも一つの通知属性を示す。
【００４１】
或る実施形態の少なくとも一つの例において、通知の表現の色が、緊急度、時間、用途、重要性、関連する通知の数、通知ステータス、または通知型のうちの少なくとも一つを示す。
【００４２】
或る実施形態の少なくとも一つの例において、通知型は、アプリケーションイベント、システムイベント、テキストイベント、呼び出しイベント、緊急イベント、または輸送イベントのうちの少なくとも一つを示す。
【００４３】
或る実施形態の少なくとも一つの例において、通知は、通知ステータスを含み、通知ステータスに少なくとも部分的に基づいて、身体着用装置の身体接触部分上の通知の表現の位置を決定することをさらに含む。
【００４４】
諸実施形態の一つ以上の例は、通知の通知ステータスが異なる通知ステータスに変化したと判断すること、その異なる通知ステータスに少なくとも部分的に基づいて、身体着用装置の身体接触部分上の通知の表現の異なる位置を決定すること、および身体着用装置の身体接触部分上のその異なる位置に通知の表現の表示を生成すること、をさらに実行する。
【００４５】
諸実施形態の一つ以上の例は、身体着用装置の身体接触部分上の位置での通知の表現の表示を終了することをさらに実行する。
【００４６】
或る実施形態の少なくとも一つの例において、通知ステータスは、その通知が表示されていないことを示し、異なる通知ステータスは、通知が表示されたことを示す。
【００４７】
或る実施形態の少なくとも一つの例において、通知の通知ステータスが異なる通知ステータスに変化したとの判断は、主ディスプレイ上の通知の異なる表現の表示の生成に少なくとも部分的に基づく。
【００４８】
或る実施形態の少なくとも一つの例において、通知の通知ステータスが異なる通知ステータスに変化したとの判断は、その通知に関連付けられた通知選択入力を示す情報の受信に少なくとも部分的に基づく。
【００４９】
諸実施形態の一つ以上の例は、通知が読まれたことを示す情報の受信をさらに実行し、通知の通知ステータスが異なる通知ステータスに変化したとの判断は、通知が読まれたことを示す該情報に少なくとも部分的に基づく。
【００５０】
諸実施形態の一つ以上の例は、通知の通知ステータスの異なる通知ステータスへの変化を示す情報を別個の装置から受信することをさらに実行し、通知の通知ステータスが異なる通知ステータスに変化したとの判断は、通知の通知ステータスの異なる通知ステータスへの変化を示す該情報に少なくとも部分的に基づく。
【００５１】
実施形態の少なくとも一つの例において、身体着用装置の身体接触部分上の通知の表現の位置は、主ディスプレイの或る側の近傍にあり、身体着用装置の身体接触部分上の通知の表現の異なる位置は、主ディスプレイの反対側の近傍にある。
【００５２】
或る実施形態の少なくとも一つの例において、主ディスプレイの該側に近傍の位置とは、身体着用装置の身体接触部分の他の縁部よりも主ディスプレイの一次側にある身体接触部分の縁部に近い位置であり、主ディスプレイの反対側に近傍の位置とは、身体着用装置の身体接触部分の他の縁部よりも主ディスプレイに近傍の身体接触部分の縁部に近い位置である。
【００５３】
或る実施形態の少なくとも一つの例において、身体着用装置の身体接触部分上の通知の表現の位置は第一バンド部分上の位置であり、身体着用装置の身体接触部分上の通知の表現の異なる位置は第二バンド部分上の位置である。
【００５４】
或る実施形態の少なくとも一つの例において、通知ステータスは、通知の緊急度を示し、身体着用装置の身体接触部分上の通知の表現の位置の決定は、その緊急度に少なくとも部分的にさらに基づく。
【００５５】
或る実施形態の少なくとも一つの例において、身体着用装置の身体接触部分上の通知の表現の位置は、通知ステータスが緊急度の閾値を満たす緊急度を示している状況にあっては主ディスプレイの或る側の近傍にあり、身体着用装置の身体接触部分上の通知の表現の位置は、通知ステータスが緊急度の閾値を満たさない異なる通知緊急度を示している状況にあっては主ディスプレイの反対側の近傍にある。
【００５６】
或る実施形態の少なくとも一つの例において、身体着用装置の身体接触部分上の通知の表現の位置は、通知ステータスが緊急度の閾値を満たす緊急度を示している状況にあっては第一バンド部分上の位置にあり、身体着用装置の身体接触部分上の通知の表現の位置は、通知ステータスが緊急度の閾値を満たさない異なる通知緊急度を示している状況にあっては第二バンド部分上の位置にある。
【００５７】
或る実施形態の少なくとも一つの例において、通知選択入力は、身体着用装置の身体接触部分上の通知の表現の位置に対応する、身体着用装置の身体接触部分上の位置へのタップ入力である。
【００５８】
或る実施形態の少なくとも一つの例において、身体接触部分は、装着者の身体を少なくとも部分的に取り巻くよう構成されたハウジングであり、主ディスプレイは該身体接触部分に連結される。
【００５９】
或る実施形態の少なくとも一つの例において、主ディスプレイは主ディスプレイハウジングに連結され、身体接触部分は主ディスプレイハウジングに連結される。
【００６０】
或る実施形態の少なくとも一つの例において、身体接触部分はバンドを備える。
【００６１】
或る実施形態の少なくとも一つの例において、このバンドは、第一バンド部分と第二バンド部分とが相互に取り外し可能なようになった第一バンド部分と第二バンド部分とを備える。
【００６２】
或る実施形態の少なくとも一つの例において、このバンドは、少なくとも二つのバンドセグメントを備える。
【００６３】
或る実施形態の少なくとも一つの例において、このバンドセグメントは、バンド環である。
【００６４】
或る実施形態の少なくとも一つの例において、身体接触部分上の位置は、身体接触部分上の空間位置である。
【００６５】
或る実施形態の少なくとも一つの例において、身体接触部分上の位置は、行と列とによって識別される。
【００６６】
或る実施形態の少なくとも一つの例において、行は身体接触部分の軸に対応する空間組分けであり、列は身体接触部分の別の軸に対応する空間組分けである。
【００６７】
或る実施形態の少なくとも一つの例において、身体接触部分上の行と列とによって識別された位置への通知の表現の表示は、通知に関連付けられた少なくとも一つの通知属性に少なくとも部分的に基づく。
【００６８】
或る実施形態の少なくとも一つの例において、身体接触部分上のこの位置は通知属性を示す。
【００６９】
或る実施形態の少なくとも一つの例において、行または列のうちの少なくとも一つは通知属性を示す。
【００７０】
或る実施形態の少なくとも一つの例において、通知属性は、通知時間、通知ステータス、または通知型のうちの少なくとも一つを識別する。
【００７１】
或る実施形態の少なくとも一つの例において、身体接触部分上の行に対応する位置への通知の表現の表示は、通知時間に少なくとも部分的に基づく。
【００７２】
或る実施形態の少なくとも一つの例において、身体接触部分上の行に対応する位置は、通知と行中の隣接の位置との間の時間的隣接性を示す。
【００７３】
或る実施形態の少なくとも一つの例において、身体接触部分上の列に対応する位置への通知の表現の表示は、通知時間に少なくとも部分的に基づく。
【００７４】
或る実施形態の少なくとも一つの例において、身体接触部分上の列に対応する位置は、該通知と列中の隣接の位置との間の時間的隣接性を示す。
【００７５】
或る実施形態の少なくとも一つの例において、行に対応する身体接触部分上の位置への通知の表現の表示は、通知ステータスに少なくとも部分的に基づく。
【００７６】
或る実施形態の少なくとも一つの例において、列に対応する身体接触部分上の位置への通知の表現の表示は、通知ステータスに少なくとも部分的に基づく。
【００７７】
或る実施形態の少なくとも一つの例において、行に対応する身体接触部分上の位置への通知の表現の表示は、通知型に少なくとも部分的に基づく。
【００７８】
或る実施形態の少なくとも一つの例において、行に対応する身体接触部分上の位置への通知の表現の表示は、通知型を示す。
【００７９】
或る実施形態の少なくとも一つの例において、列に対応する身体接触部分上の位置への通知の表現の表示は、通知型に少なくとも部分的に基づく。
【００８０】
或る実施形態の少なくとも一つの例において、列に対応する身体接触部分上の位置への通知の表現の表示は、通知型を示す。
【００８１】
本発明の態様の実施形態の諸例において、用語「身体着用（ｂｏｄｙ  ｗｏｒｎ）」または「手首着用（ｗｒｉｓｔ  ｗｏｒｎ）」への言及は、身体に装着可能または手首に装着可能な機能を言い、身体または手首に装着された物理的状態を言うのではない。手首への言及がされた場合、他の身体部分を除くことへの明示の言及が提示されている場合を除き、本装置を装着可能な身体部分の代表例であると見なしてよい。本装置を装着可能とされ得る他の例には、足首などの別の手足部分、またはウエスト、胸、頭もしくは首が含まれる。本通知装置の視覚表示機能は、首または頭に装着されたとき、通知イベントを他のユーザに通知する。このように、例えば、本通知装置は、患者の状態に関するイベントが、たとえ患者自身は鏡なしでは通知を見ることが困難な場合にあっても、介護人など別の当事者に見えるようにできることで、病院または他の介護環境で特に有用であり得る。
【００８２】
通知を解除するのに、最初に、コードもしくはパスワードなどの認証入力または指紋の認識が必要なようにすることが可能である。
【００８３】
本発明の諸態様の実施形態の任意の適切な例において、身体接触部分には、例えば主ディスプレイを見える箇所に位置付けるようにして、本装置の位置を固定させるため、身体部分を把持する身体密着部分を備えてもよい。例えば、この身体部分に手首を含める場合、身体接触部分には、手首接触または密着部分を含めることができる。
【００８４】
本発明の諸態様の実施形態の例の少なくとも一つにおいて、通知を表示する装置は、他方のデバイスと対になる一方のデバイスである。他方のデバイスは、通知を生成しその通知を該対の一方のデバイスに送信する。他方のデバイスには、一つ以上のセル式または無線ローカルエリアネットワークの通信プロトコルに適合する無線通信機能を有する通信デバイスを含めることができる。他方のデバイスは、３Ｇおよび／またはＬＴＥセル式通信機能およびＷｉＦｉ機能を有し、例えば、ブルートゥース（登録商標）通信プロトコルおよび／または近距離無線通信プロトコルの一つを用いる近距離二地点間通信プロトコルを介し、対の一方のデバイスに通知を提供することが可能である。
【００８５】
諸態様の実施形態の諸例、並びに、前記または後記の説明および添付の独立および従属請求項中で述べられた実施形態の諸例は、当業者には明らかな任意の適切な仕方で相互に組み合わせることができる。
【００８６】
【図面の簡単な説明】
【００８７】
本発明の実施形態のより完全な理解のために、単なる例として、添付の図面と併せ以下に説明を行う。
【００８８】
【図１】少なくとも一つの実施例に従う、装置を示すブロック図である。
【００８９】
【図２Ａ】少なくとも一つの実施例に従う、手首着用装置を示す図である。
【図２Ｂ】少なくとも一つの実施例に従う、手首着用装置を示す図である。
【図２Ｃ】少なくとも一つの実施例に従う、手首着用装置を示す図である。
【図２Ｄ】少なくとも一つの実施例に従う、手首着用装置を示す図である。
【００９０】
【図３】図３Ａ、図３Ｂとも、少なくとも一つの実施例に従う、手首着用装置および通知の表現を示す図である。
【００９１】
【図４】図４Ａ、図４Ｂとも、少なくとも一つの実施例に従う、手首着用装置の主ディスプレイ上の表示の情報を示す図である。
【００９２】
【図５】少なくとも一つの実施例に従う、手首着用装置の主ディスプレイ上の通知の表現の表示の生成に関連する動作を示す流れ図である。
【００９３】
【図６】少なくとも一つの実施例に従う、異なる位置への通知の表現の表示の生成に関連する動作を示す流れ図である。
【００９４】
【図７】少なくとも一つの実施例に従う、手首着用装置の手首密着部分上の異なる位置への通知の表現の表示の生成に関連する動作を示す流れ図である。
【００９５】
【図８】少なくとも一つの実施例に従う、緊急度に基づく、通知の表現の表示に対する位置の決定に関連する動作を示す流れ図である。
【図面の詳細な説明】
【００９６】
本発明の実施形態およびその潜在的利点は、図面の図１〜図８を参照することによって理解される。
【００９７】
以降に、添付の図面を参照しながら、いくつかの実施形態をさらに十分説明するものとし、これら図面中には一部の、だが全部ではない実施形態が示されている。本発明の様々な実施形態は、多くの異なる形で具現化することが可能で、本明細書中で述べる実施形態に限定されると解釈されるべきではない。むしろ、これらの実施形態は、本開示が適用される法的要求事項を満たせるように提供されるものである。全体を通して同じ参照番号は同じ要素を表す。本明細書での使用において、用語「データ（ｄａｔａ）」「コンテンツ（ｃｏｎｔｅｎｔ）」、「情報（ｉｎｆｏｒｍａｔｉｏｎ）」および類似の用語は、本発明の実施形態による、送信、受信、および／または格納することが可能なデータに言及するため互換的に用いられることがある。しかして、かかるどの用語の使用も、本発明の実施形態の精神および範囲を限定すると解釈されるべきではない。
【００９８】
さらに、本明細書での使用において、用語「回路（ｃｉｒｃｕｉｔｒｙ）」は、（ａ）ハードウェアだけの回路実装（例えば、アナログ回路および／またはデジタル回路での実装）、（ｂ）或る装置に本明細書に記載する一つ以上の機能を実行させるために協働する、一つ以上のコンピュータ可読メモリに格納されたソフトウェアおよび／またはファームウェア命令を含む、回路およびコンピュータプログラム製品（群）の組み合わせ、および（ｃ）例えば、たとえソフトウェアまたはファームウェアが物理的に現存しなくても、動作のためにソフトウェアまたはファームウェアを必要とする、マイクロプロセッサ（群）またはマイクロプロセッサ（群）の一部などの回路を言う。「回路」のこの定義は、一切の請求項を含め、本明細書中のこの用語の全ての使用に適用する。さらなる例として、本明細書での使用において、用語「回路」は、一つ以上のプロセッサおよび／またはその部分（群）および付随するソフトウェアおよび／またはファームウェアを備える実装も含む。また、別の例として、本明細書で使われる用語「回路」は、例えば、ベースバンド集積回路もしくは携帯電話用の応用プロセッサ集積回路、または、サーバ、セル式ネットワーク装置、他のネットワーク装置、および／または他のコンピューティング装置中の類似の集積回路も含む。
【００９９】
本明細書で定義される「非一時的なコンピュータ可読媒体」は物理的媒体（例えば、揮発性または不揮発性メモリデバイス）を言い、電磁信号を指す「一時的なコンピュータ可読媒体」と区別することができる。
【０１００】
図１は、少なくとも一つの実施例に従う、電子装置１０などの装置を示すブロック図である。但し、当然のことながら、図示され、以降に説明される電子装置は、本発明の実施形態によって益を得ることが可能な電子装置の単なる例示であり、したがって本発明の範囲を限定すると解釈すべきではない。電子装置１０が図示され、例示目的のため以降に説明されるが、他の種類の電子装置も本発明の実施形態を容易に用いることが可能である。電子装置１０は、携帯情報端末（ＰＤＡ：ｐｅｒｓｏｎａｌ  ｄｉｇｉｔａｌ  ａｓｓｉｓｔａｎｔ）、ページャー、携帯コンピュータ、デスクトップコンピュータ、テレビジョン、ゲーム装置、ラップトップコンピュータ、タブレットコンピュータ、メディアプレイヤ、カメラ、ビデオレコーダ、携帯電話、ウェアラブル装置、手首着用装置、腕時計型装置、全地球測位システム（ＧＰＳ：ｇｌｏｂａｌ  ｐｏｓｉｔｉｏｎｉｎｇ  ｓｙｓｔｅｍ）装置、自動車、キオスク、電子テーブル、および／または任意の他の種類の電子システムであってもよい。さらに、少なくとも一つの例示の実施形態の装置は、全体的な電子装置である必要はなく、他の例示の実施形態では、電子装置の部品または部品の群であってもよい。例えば、本装置は、集積回路、集積回路のセットなどとすることも可能である。
【０１０１】
さらに、諸装置は、それらの移動性具備の意図の如何にかかわらず、本発明の実施形態を容易に採用することができよう。この点に関し、たとえ本発明の実施形態がモバイル用途に関連して説明されているとしても、当然のことながら、本発明の実施形態は、移動通信産業および移動通信外の産業の両方において、様々な他の応用に関連させて用いることが可能である。例えば、本装置は、大画面テレビジョン、電子テーブル、キオスク、自動車など非携帯型の装置の少なくとも一部であってもよい。
【０１０２】
少なくとも一つの例示の実施形態において、電子装置１０は、プロセッサ１１およびメモリ１２を備える。プロセッサ１１は、任意の種類のプロセッサ、コントローラ、内蔵コントローラ、プロセッサコアなどであってもよい。少なくとも一つの例示の実施形態において、プロセッサ１１は、装置に一つ以上の動作を実行させるためにコンピュータプログラムコードを用いる。メモリ１２は、データの一時的保管のためのキャッシュ領域を含む揮発性ランダムアクセスメモリ（ＲＡＭ：Ｒａｎｄｏｍ  Ａｃｃｅｓｓ  Ｍｅｍｏｒｙ）などの揮発性メモリ、および／または、例えば、埋め込み型および／または着脱可能とすることができる不揮発性メモリなどの他のメモリを含むことができる。不揮発性メモリは、ＥＥＰＲＯＭ、フラッシュメモリなどを含んでよい。メモリ１２は、多くの情報およびデータを任意に格納することが可能である。これら情報およびデータは、本明細書に記載の機能など、電子装置１０の一つ以上の機能を実装するために電子装置１０によって使用することができる。少なくとも一つの例示の実施形態において、メモリ１２はコンピュータプログラムコードを含み、メモリおよびコンピュータプログラムコードは、プロセッサと協働して、本装置に本明細書に記載の一つ以上の動作を実行させるように構成される。
【０１０３】
電子装置１０は、通信デバイス１５をさらに備えることができる。少なくとも一つの例示の実施形態において、通信デバイス１５は、送信器および／または受信器と動作可能に通信しているアンテナ（または多重アンテナ）、有線コネクタなどを備える。少なくとも一つの例示の実施形態において、プロセッサ１１は、送信器に信号を供し、および／または受信器から信号を受信する。これらの信号は、通信インターフェース規格によるシグナリング情報、ユーザスピーチ、受信データ、ユーザ生成データなどを含んでよい。通信デバイス１５は、一つ以上の無線インターフェース規格、通信プロトコル、変調型、およびアクセス型を使って動作することが可能である。例を挙げると、電子通信デバイス１５は、第二世代（２Ｇ）ワイヤレス通信プロトコルＩＳ−１３６（時分割多重アクセス（ＴＤＭＡ：ｔｉｍｅ  ｄｉｖｉｓｉｏｎ  ｍｕｌｔｉｐｌｅ  ａｃｃｅｓｓ））、ＧＳＭ（登録商標）、およびＩＳ−９５（符号分割多重アクセス（ＣＤＭＡ：ｃｏｄｅ  ｄｉｖｉｓｉｏｎ  ｍｕｌｔｉｐｌｅ  ａｃｃｅｓｓ））によって；また、ユニバーサル・モバイル・テレコミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００、ＷＣＤＭＡ（登録商標）、および時分割周期ＣＤＭＡ（ＴＤ−ＳＣＤＭＡ：ｔｉｍｅ  ｄｉｖｉｓｉｏｎ−ｓｙｎｃｈｒｏｎｏｕｓ  ＣＤＭＡ）などの第三世代（３Ｇ）ワイヤレス通信プロトコルによって；および／または第四世代（４Ｇ）ワイヤレス通信プロトコル、８０２．１１などのワイヤレスネットワークプロトコル、ブルートゥース（登録商標）などの短距離ワイヤレスプロトコルなどによって；動作することができる。通信デバイス１５は、イーサネット（登録商標）、デジタル加入者回線（ＤＳＬ：ｄｉｇｉｔａｌ  ｓｕｂｓｃｒｉｂｅｒ  ｌｉｎｅ）、非同期転送モード（ＡＴＭ：ａｓｙｎｃｈｒｏｎｏｕｓ  ｔｒａｎｓｆｅｒ  ｍｏｄｅ）などの有線プロトコルによって動作することも可能である。
【０１０４】
プロセッサ１１は、例えば本明細書に記載の一つ以上の機能を含めて本発明の実施形態を実装することはもとより、オーディオ、ビデオ、通信、ナビゲーション、論理機能などを実装するために、回路などの手段を備えてよい。例えば、プロセッサ１１は、例えば本明細書に記載の一つ以上の機能を含め、様々な機能を実行するために、デジタル信号プロセッサデバイス、マイクロプロセッサデバイス、各種アナログ−デジタルコンバータ、デジタル−アナログコンバータ、処理回路、および他のサポート回路などの手段を備えてよい。本装置は、これらのデバイスの間の電子装置１０の制御および信号処理機能を、これらデバイスのそれぞれの能力に応じて実行することが可能である。プロセッサ１１は、しかして、変調および伝送の前にメッセージおよびデータを符号化しインタリーブするための機能を備えることができる。プロセッサ１１は、内部音声符号器を追加して備えてよく、内部データモデムを備えてよい。さらに、プロセッサ１１には、一つ以上のソフトウェアプログラムを動作させる機能を備えることが可能で、これらのプログラムは、メモリ中に格納することができ、とりわけ、プロセッサ１１に、例えば本明細書に記載の一つ以上の機能を備える少なくとも一つの実施形態を実装させることが可能である。例えば、プロセッサ１１は、従来式のインターネットブラウザなどの接続用プログラムを動作させることができる。この接続用プログラムは、電子装置１０が、例えば、伝送制御プロトコル（ＴＣＰ：Ｔｒａｎｓｍｉｓｓｉｏｎ  Ｃｏｎｔｒｏｌ  Ｐｒｏｔｏｃｏｌ）、インターネットプロトコル（ＩＰ：Ｉｎｔｅｒｎｅｔ  Ｐｒｏｔｏｃｏｌ）、ユーザデータグラムプロトコル（ＵＤＰ：Ｕｓｅｒ  Ｄａｔａｇｒａｍ  Ｐｒｏｔｏｃｏｌ）、インターネットメッセージアクセスプロトコル（ＩＭＡＰ：Ｉｎｔｅｒｎｅｔ  Ｍｅｓｓａｇｅ  Ａｃｃｅｓｓ  Ｐｒｏｔｏｃｏｌ）、ポストオフィスプロトコル（ＰＯＰ：Ｐｏｓｔ  Ｏｆｆｉｃｅ  Ｐｒｏｔｏｃｏｌ）、簡易メール転送プロトコル（ＳＭＴＰ：Ｓｉｍｐｌｅ  Ｍａｉｌ  Ｔｒａｎｓｆｅｒ  Ｐｒｏｔｏｃｏｌ）、ワイヤレスアプリケーションプロトコル（ＷＡＰ：Ｗｉｒｅｌｅｓｓ  Ａｐｐｌｉｃａｔｉｏｎ  Ｐｒｏｔｏｃｏｌ）、ハイパーテキスト転送プロトコル（ＨＴＴＰ：Ｈｙｐｅｒｔｅｘｔ  Ｔｒａｎｓｆｅｒ  Ｐｒｏｔｏｃｏｌ）などによって、ロケーションベースのコンテンツおよび／または他のウェブページコンテンツなどのインターネットコンテンツを送信および受信するのを可能にすることができる。
【０１０５】
電子装置１０は、出力を供する、および／または入力を受けるためのユーザインターフェースを備えてよい。電子装置１０は、出力デバイス１４も備えることができる。出力デバイス１４は、リンガー、イヤフォン、スピーカなど音声出力デバイスを備えてよい。出力デバイス１４は、振動変換器、電子変形可能な表面、電子変形構造体など、触覚出力デバイスを備えてもよい。出力デバイス１４は、ディスプレイ、ライトなど、視覚出力デバイスを備えてもよい。少なくとも一つの例示の実施形態において、本装置は情報の表示を生成し、この表示の生成には、装置に備えられたディスプレイ上に情報を表示すること、ディスプレイを備える別の装置に情報を送信することなどを含めることができる。本電子装置は、入力デバイス１３を備えることが可能である。入力デバイス１３は、光センサ、近接センサ、マイクロフォン、タッチセンサ、力センサ、ボタン、キーパッド、動きセンサ、磁場センサ、カメラなどを備えてよい。タッチセンサとディスプレイとは、一つのタッチディスプレイとして設定してもよい。タッチディスプレイを含む或る実施形態において、タッチディスプレイは、単一点の接触、複数点の接触などからの入力を受信するように構成することが可能である。かかる実施形態において、タッチディスプレイおよび／またはプロセッサは、位置、動き、速度、接触区域などに、少なくとも部分的に基づいて、入力を判断することができる。少なくとも一つの例示の実施形態において、本装置は入力の指示を受信する。装置は、センサ、ドライバ、別の装置などからこの指示を受信することが可能である。この入力を示す情報は、入力を示す情報を伝える情報、入力が生じたことを示す入力状態を示す情報などを含んでもよい。
【０１０６】
電子装置１０には、抵抗性、容量性、赤外、歪みゲージ、表面波、光学的画像、分散信号技術、音響パルス認識、または他の技法の任意のものによるタッチの認識を可能にし、次いでそのタッチに関連する場所および他のパラメータを示す信号を提供するよう構成されたタッチディスプレイを含む、様々なタッチディスプレイの任意のものを含めることが可能である。さらに、このタッチディスプレイは、選択体（例えば、指、タッチペン、ペン、鉛筆、または他のポインティングデバイス）とタッチディスプレイとの間の実際の物理的接触として定義できるタッチイベントの形で、入力の指示を受信するように構成することが可能である。これに換えて、タッチイベントは、タッチディスプレイとの物理的接触はされないが、選択体をタッチディスプレイの近傍に持って行くこと、表示されたオブジェクトの上でホバリングすること、或るオブジェクトの所定の距離内に近づけること、として定義されてもよい。しかして、タッチ入力には、実際の物理的接触を伴うタッチイベント、および実際の物理的接触は伴わないが、タッチディスプレイへの選択体の接近の結果など、タッチディスプレイによって別途に検知されるタッチイベントを含め、タッチディスプレイによって検知される一切の入力を含めることが可能である。タッチディスプレイには、タッチ入力に関し、タッチスクリーンに加わる力に関連付けられた情報を受信する能力を持たせることができる。例えば、このタッチスクリーンは、重い圧力のタッチ入力と軽い圧力のタッチ入力を区別することが可能である。少なくとも一つの例示の実施形態において、ディスプレイは、二次元情報、三次元情報などを表示することができる。
【０１０７】
キーパッドを含む実施形態において、キーパッドは、電子装置１０を動作させるための数字（例えば、０〜９）キー、符号キー（例えば、＃、＊）、アルファベットキーなどを備えてよい。例えば、このキーパッドは、従来のＱＷＥＲＴＹのキーパッド配置を備えてよい。また、このキーパッドは、関連する機能を備えた様々なソフトキーを備えることもできる。上記に加えてまたは換えて、電子装置１０は、ジョイスティックなどのインターフェースデバイスまたは他のユーザ入力インターフェースを備えてよい。
【０１０８】
入力デバイス１３は、メディア取り込み素子を備えることができる。このメディア取り込み素子は、ストレージ、表示、または送信のため、画像、映像、および／または音声を取り込むための任意の手段とすればよい。例えば、メディア取り込み素子がカメラモジュールである、少なくとも一つの例示の実施形態において、カメラモジュールは、取り込んだ画像からデジタル画像ファイルを形成することが可能なデジタルカメラを備えることができる。しかして、該カメラモジュールは、レンズまたは他の光学部品（群）などのハードウェア、および／または取り込まれた画像からデジタル画像ファイルを生成するために必要なソフトウェアを備え得る。あるいは、このカメラモジュールには、画像を見取るためのハードウェアだけを備えることもでき、一方、電子装置１０のメモリデバイスは、取り込まれた画像からデジタル画像ファイル生成するためのソフトウェアの形で、プロセッサ１１によって実行するための命令を格納する。少なくとも一つの例示の実施形態において、カメラモジュールは、画像データの処理でプロセッサ１１を助力するコプロセッサ、画像データを圧縮および／または解凍するためのエンコーダおよび／またはデコーダなどの、処理素子をさらに備えることが可能である。エンコーダおよび／またはデコーダは、例えば、ジョイントフォトグラフィックエキスパートグループ（ＪＰＥＧ：Ｊｏｉｎｔ  Ｐｈｏｔｏｇｒａｐｈｉｃ  Ｅｘｐｅｒｔｓ  Ｇｒｏｕｐ）規格フォーマットなどの標準フォーマットによって符号化および／または復号することができよう。
【０１０９】
図２Ａ〜２Ｄは、少なくとも一つの実施例に従う、手首着用装置を示す図である。図２Ａ〜２Ｄの例は、単なる例であって、特許請求の範囲を限定するものではない。例えば、手首着用装置の設計は変えることができ、手首密着部分の構成も変えることができ、機械的連結も変えることができ、手首着用装置の構成も変えることができ、主ディスプレイの構成なども変えることができる。
【０１１０】
電子装置がさらに普及してくるにつれ、多くのユーザが、電子装置と、直感的で、便利で、利用し易いなどの仕方でやり取りをしたいと望んでいよう。例えば、ユーザは、スムースなやり取り、便利なやり取りなどが可能な電子装置とやり取りするのを望んでいることがある。少なくとも一つの例示の実施形態において、装置は手首着用装置である。手首着用装置は、腕時計型装置、ブレスレット型装置などであってもよい。少なくとも一つの例示の実施形態において、手首着用装置は手首密着部分を備える。少なくとも一つの例示の実施形態において、この手首密着部分は、手首着用装置をユーザの手首に密着させること、ユーザの手首からの落下を回避すること、などのため構成された、手首着用装置のハウジングの一部である。例えば、この手首密着部分は、手首着用装置の装着者の手首を少なくとも部分的に取り巻くよう構成されたハウジングにすることができる。かかる例において、手首密着部分は、バンド、ストラップ、ブレスレットなどであってもよい。手首着用装置の手首密着部分は、硬くても、柔軟でも、伸縮性でも、折り畳み可能でも、湾曲可能でも、変形可能でも、屈曲可能などでもよい。例えば、手首着用装置の手首密着部分は、ユーザが、湾曲のないバンドを曲げてユーザの手首周りに巻き付けるように構成できる、湾曲のないバンドとしてもよい。
【０１１１】
多くの環境において、ユーザは手首着用装置に情報を表示させたいとを望んでいることがある。例えば、ユーザは、手首着用装置が、ユーザが特別に関心のある情報を表示すること、ユーザの注意の喚起が可能な視覚情報を表示することなどを望むこともあろう。少なくとも一つの例示の実施形態において、手首着用装置の手首密着部分は、手首密着部分ディスプレイを備える。例えば、この手首密着部分ディスプレイは、発光ダイオードディスプレイ、電子インクディスプレイ、液晶ディスプレイ、有機発光ダイオードディスプレイなどとしてもよい。かかる例において、この手首密着部分ディスプレイは、柔軟でも、硬くても、変形可能でも、折り畳み可能などでもよい。
【０１１２】
図２Ａは、或る手首着用装置を示す図である。図２Ａの例において、手首着用装置２０２は、ブレスレット装置である。図２Ａの例において、手首着用装置２０２の手首密着部分は手首着用装置２０２の全体である。図２Ａの例では、手首着用装置２０２は単一の連続したハウジングを備える。図２Ａの例は、単一の連続したハウジングとして手首着用装置２０２を示しているが、手首着用装置２０２は、単一の不連続なハウジングとし、手首着用装置２０２の２つの別個の端部の間にギャップが存在するようにすることもできる。手首着用装置２０２は、硬くても、柔軟でも、伸縮性でも、変形可能などでもよい。図２Ａの例では、手首密着部分２０４および手首密着部分２０６が手首着用装置２０２に含まれている。例えば、図２Ａ中に表されているように、手首密着部分２０４は、点線の間に示された手首着用装置２０２の部分であってもよく、手首密着部分２０６は、点線の間に示された手首着用装置２０２のより小さい方の部分であってもよい。手首密着部分２０４は、手首密着部分ディスプレイを備えることができる。例えば、手首密着部分ディスプレイは、手首着用装置２０２の縁部まで延びることが可能で、手首密着部分２０４の縁部と手首着用装置２０２の縁部との間のマージン部などによって制約され得る。手首密着部分ディスプレイは、手首密着部分２０４の全体に延びる、手首密着部分２０４の一部に延びる、などすることができる。手首密着部分２０４は、単一のフレキシブルディスプレイ、複数のフレキシブルディスプレイ、複数の硬質性ディスプレイなどを備えることが可能である。例えば、手首密着部分２０４の一部は、フレキシブル発光ダイオードディスプレイを備え、手首密着部分２０４の異なる部分は硬質性液晶ディスプレイを備えてもよい。
【０１１３】
一部の環境では、ユーザは、手首密着部分ディスプレイでの表示には合わせられない情報、特定の種類の手首密着部分ディスプレイでの表示に適した情報などを、手首着用装置に表示させたいと望むことがある。例えば、ユーザは、限られた表示解像度、限られた範囲の再生色調などしか持たないかもしれない発光ダイオード手首密着部分ディスプレイへの表示には合わせられない、高解像度、フルカラー視覚情報を見たいと望むことがあろう。別の例では、ユーザが、限られた表示解像度、制限されたリフレッシュ速度などしか持てない白黒電子インクディスプレイ上への表示には適し得ない動画像を見たいと望むこともあろう。一部の環境において、ユーザは、情報のフルカラー表現の表示が可能な、ユーザが、手首密着部分ディスプレイが提供するよう構成され得る限度を超える詳細度で視覚情報を把握できるような仕方などで、手首着用装置を使って情報を表示させたいと欲することもあろう。少なくとも一つの例示の実施形態において、或る装置は主ディスプレイを備える。この主ディスプレイは、発光ダイオードディスプレイ、電子インクディスプレイ、液晶ディスプレイ、有機発光ダイオードディスプレイなどとすればよい。少なくとも一つの例示の実施形態において、主ディスプレイは、手首着用装置の中心的ディスプレイである。少なくとも一つの例示の実施形態において、主ディスプレイは、手首密着部分ディスプレイのレンダリング品質よりも高いレンダリング品質によって特徴付けられるディスプレイである。例えば、主ディスプレイは、より高い表示解像度、より大きな表示サイズ、より広い色調再生範囲などによって特徴付けることができる。
【０１１４】
図２Ｂは、少なくとも一つの実施例に従う、或る手首着用装置を示す図である。少なくとも一つの例示の実施形態において、主ディスプレイは、手首着用装置の手首密着部分に連結されている。例えば、主ディスプレイは、手首着用装置内に収納すること、手首着用装置の手首密着部分内に収納することなどができる。図２Ｂの例において、手首着用装置２１２は、単一の連続したハウジングを備える。図２Ｂの例は、単一の連続したハウジングとして手首着用装置２１２を示しているが、手首着用装置２１２は、単一の不連続なハウジングとし、手首着用装置２１２の２つの別個の端部の間にギャップが存在するようにすることもできる。手首着用装置２１２は、硬くても、柔軟でも、伸縮性でも、変形可能などでもよい。図２Ｂの例では、手首着用装置２１２は、手首密着部分２１６および２１８を備える。図２Ｂの例に示されるように、手首密着部分２１６と２１８とは、手首着用装置２１２の２つの区分された部分であり、主ディスプレイ２１４によって分離されている。手首密着部分２１６および２１８のそれぞれは、単一のフレキシブルディスプレイ、複数のフレキシブルディスプレイ、複数の硬質性ディスプレイなどを備えることが可能である。例えば、手首密着部分２１６が、フレキシブル発光ダイオードディスプレイを備え、手首密着部分２１８が、別のフレキシブル発光ダイオードディスプレイを備えてもよい。主ディスプレイ２１４は、発光ダイオードディスプレイでも、電子インクディスプレイでも、液晶ディスプレイでも、有機発光ダイオードディスプレイなどでもよい。
【０１１５】
一部の環境では、ユーザは、手首着用装置の或る手首密着部分を異なる手首密着部分と取り換えることを望むことがある。例えば、ユーザは、硬質性のプラスチックバンドから柔軟なゴムバンドへの交換、フレキシブル液晶ディスプレイを備えたバンドからフレキシブル発光ダイオードディスプレイを備えた異なったバンドなどへの交換を欲することがあろう。かかる例において、ユーザは、主ディスプレイを該バンドから異なったバンドに移すことを望むかもしれない。少なくとも一つの例示の実施形態において、主ディスプレイは、主ディスプレイハウジングに連結されている。かかる実施形態では、手首着用装置の手首密着部分は、ユーザが、手首密着部分から主ディスプレイハウジングを分離しその主ディスプレイハウジングを異なった手首密着部分に連結することができるようにして、主ディスプレイハウジングに連結することが可能である。
【０１１６】
図２Ｃは、少なくとも一つの実施例に従う、或る手首着用装置を示す図である。図２Ｃの例において、手首着用装置２２２は、主ディスプレイハウジング２２３、手首密着部分２２６、および手首密着部分２２８を備える。図２Ｃの例に表されるように、手首着用装置２２２は、ユーザの手首周りに固定するためのバックル型の密着メカニズムを備えた、手首密着部分を備える。図２Ｃの例は、単一の不連続のハウジングとして手首着用装置２２２を示しているが、手首着用装置２２２は、図２Ａおよび２Ｂ中に表されたような単一の連続したハウジングにすることも可能である。手首着用装置２２２は、硬くても、柔軟でも、伸縮性でも、変形可能などでもよい。図２Ｃの例では、手首着用装置２２２は、手首密着部分２２６および２２８を備える。図２Ｃの例に示されるように、手首密着部分２２６と２２８とは、手首着用装置２２２の二つの部分であり、主ディスプレイハウジング２２３によって分離されている。手首密着部分２２６および２２８のそれぞれは、単一のフレキシブルディスプレイ、複数のフレキシブルディスプレイ、複数の硬質性ディスプレイなどを備えることが可能である。例えば、手首密着部分２２６が、フレキシブル有機発光ダイオードディスプレイを備え、手首密着部分２２８が、液晶ディスプレイを備えてもよい。図２Ｃの例では、主ディスプレイ２２４は主ディスプレイハウジング２２３に連結されている。例えば、主ディスプレイ２２４は、主ディスプレイハウジング２２３を手首着用装置２２２から切り離すことにより、手首着用装置２２２から取り外し可能にすることができる。主ディスプレイ２２４は、発光ダイオードディスプレイでも、電子インクディスプレイでも、液晶ディスプレイでも、有機発光ダイオードディスプレイなどでもよい。
【０１１７】
図２Ｄは、少なくとも一つの実施例に従う、或る手首着用装置を示す図である。少なくとも一つの例示の実施形態において、バンドは、２つ以上のバンドセグメントを備える。例えば、バンドセグメントは、バンド環、バンドハーフなどであってもよい。かかる例において、バンドセグメントは、硬くても、柔軟でも、伸縮性などでもよい。各バンドセグメントは、一つ以上の手首密着部分ディスプレイを備えることが可能である。少なくとも一つの例示の実施形態において、バンドは、第一バンド部分および第二バンド部分を備える。かかる例示の実施形態で、第一バンド部分および第二バンド部分は、これらバンド部分が相互に切り離し可能なように構成することができる。
【０１１８】
図２Ｄの例は、バンド部分２４１、バンド部分２４２、および主ディスプレイハウジング２４３を備える手首着用装置を表す。図２Ｄの例において、主ディスプレイハウジング２４３は主ディスプレイ２４４と連結される。主ディスプレイ２４４は、発光ダイオードディスプレイでも、電子インクディスプレイでも、液晶ディスプレイでも、有機発光ダイオードディスプレイなどでもよい。図２Ｄの例に示されるように、バンド部分２４１およびバンド部分２４２は、主ディスプレイハウジング２４３から分離可能である。例えば、バンド部分２４１を主ディスプレイハウジング２４３に回転可能に連結している軸ピンを外して、バンド部分２４１を主ハウジング２４３から分離することができる。図２Ｄの例では、バンド部分２４１が主ディスプレイハウジング２４３に回転可能に連結されて表されているが、バンド部分２４１は、主ディスプレイハウジング２４３に固定して結合すること、主ディスプレイハウジング２４３に柔軟に結合することなども可能である。図２Ｄの例では、バンド部分２４１はバンド部分２４２に接続されている。例えば、バンド部分２４１と２４２とは、手首着用装置のユーザの手首にまわして接続することができる。図２Ｄの例に表されているように、バンド部分２４１と２４２とは、留め金、バックルなどの機械的バンド連結を使って接続される。バンド部分２４１と２４２とは、これらバンド部分がこの機械的バンド連結部で切り離し可能なように構成される。図２Ｄの例において、バンド部分２４１は手首密着部分２４６を備える。手首密着部分２４６は、一つ以上の手首密着部分ディスプレイを備えてよい。例えば、手首密着部分２４６は、フレキシブル発光ダイオードディスプレイ、二つの硬質性液晶ディスプレイなどを備えることが可能である。図２Ｄの例において、バンド部分２４２は手首密着部分２４８を備える。手首密着部分２４８は、一つ以上の手首密着部分ディスプレイを備えてよい。例えば、手首密着部分２４８は、フレキシブル発光ダイオードディスプレイ、二つの硬質性液晶ディスプレイなどを備えてよい。
【０１１９】
図３Ａ〜３Ｂは、少なくとも一つの実施例に従う、手首着用装置および通知の表現を示す図である。図３Ａ〜３Ｂの例は、単なる例であって、特許請求の範囲を限定するものではない。例えば、手首着用装置の設計は変えることができ、手首密着部分の構成を変えることもでき、機械的連結を変えることもでき、手首着用装置の構成を変えることもでき、主ディスプレイの構成を変えることもでき、通知を変えることもでき、通知の表現を変えることもでき、通知の構成を変えることもでき、通知の表示などを変えることもできる。
【０１２０】
図３Ａは、少なくとも一つの実施例に従う、或る手首着用装置および通知の表現を示す図である。図３Ａの例は、手首密着部分３０２、手首密着部分３０４、および主ディスプレイハウジング３０６を備えた手首着用装置を表す。主ディスプレイハウジング３０６は主ディスプレイ３０８を備える。図３Ａの例において、手首密着部分３０４は第一バンド部分であり、手首密着部分３０２は第二バンド部分である。図３Ａの例では、手首密着部分３０４は手首密着ディスプレイ３１４を備え、手首密着部分３０２は手首密着部分ディスプレイ３１２を備える。表現３２２、３２４、３２６、および３２８のそれぞれは、通知の表現である。図３Ａの例に表されているように、表現３２６および３２８は手首密着部分３０４上の位置に表示され、表現３２２および３２４は手首密着部分３０２上の位置に表示される。
【０１２１】
図３Ｂは、少なくとも一つの実施例に従う、或る手首着用装置および通知の表現を示す図である。図３Ｂの例は、手首密着部分３５２、手首密着部分３５４、および主ディスプレイハウジング３５６を備えた手首着用装置を表す。主ディスプレイハウジング３５６は主ディスプレイ３５８を備える。図３Ｂの例では、手首密着部分３５４は第一バンド部分であり、手首密着部分３５２は第二バンド部分である。図３Ｂの例では、手首密着部分３５４は手首密着ディスプレイ３６４を備え、手首密着部分３５２は手首密着部分ディスプレイ３６２を備える。表現３７２、３７４、３７６、および３７８のそれぞれは、通知の表現である。図３Ｂの例に表されているように、表現３７６および３７８は手首密着部分３５４上の位置に表示され、表現３７２および３７４は手首密着部分３５２上の位置に表示される。
【０１２２】
時々、雑多なイベントが発生することがある。かかる環境において、電子装置のユーザが、ユーザの電子装置の一つ以上を介してイベントの発生の警報を受けたいと考える場合がある。少なくとも一つの例示の実施形態において、イベントは、アプリケーションイベント、システムイベント、テキストイベント、呼び出しイベント、緊急イベント、輸送イベントなどである。例えば、装置上での着信電話の受信が呼び出しイベントであってもよい。テキストメッセージの受信がテキストイベントであってもよい。ソーシャルネットワーキングアプリケーションを使ったソーシャルネットワーキングメッセージの受信がアプリケーションイベントであってもよい。バッテリ容量が２０パーセントになることがシステムイベントであってもよい。
【０１２３】
特定の環境において、或るイベントを通知に関連付けることが望まれることがある。例えば、ユーザは、関連付けられた通知によって、イベントの発生に関する警報を受けることができる。少なくとも一つの例示の実施形態において、或る装置は、イベントの発生に少なくとも部分的に基づいて通知を決定する。かかる例示の実施形態において、通知は、イベントに関連付けられた通知型を含むことが可能である。通知型は、通知が関連付けられたイベントのタイプを示すことができる。例えば、通知型は、アプリケーションイベント、システムイベント、テキストイベント、呼び出しイベント、緊急イベント、または輸送イベントなどでよい。通知は、例えば、通知ダイアログ、メッセージダイアログ、データフィード入力、音声警報、視覚警報などを含んでよい。
【０１２４】
一部の環境では、ユーザが、関連する通知を介して、或る装置、別の装置などに関連付けられたイベントの発生の警報を受けたいと考えることがある。例えば、ユーザは、ユーザの装置を使って通知を見たいと考えることがある。例えば、通知を示す情報が、ユーザの装置上に表示できる、ユーザの装置によって表現できる、などである。多くの環境において、手首着用装置のユーザが、手首着用装置上に表示された通知を迅速かつ正確に識別することができないことがある。例えば、手首着用装置の主ディスプレイは、通知を表示することができる。ディスプレイのサイズ、ディスプレイの解像度、ディスプレイの移動などに関連する制約に起因して、ユーザが通知を確認できないことがある。例えば、ユーザと手首着用装置との間の視野角が望ましくないこともあり、ユーザと手首着用装置との間の視距離が大きすぎることもあり、動きの量が、ユーザに不鮮明な表示を感知させることなどもある。多くの環境において、手首着用装置のユーザは、通知の性質、通知に関連する基本情報などをユーザが迅速且つ正確に判断可能なように、手首着用装置に関連付けられた通知を感知することができるよう望んでいよう。
【０１２５】
例えば、手首着用装置のユーザは、手首着用装置のバンド上のディスプレイを使って通知の表現が表示されることを望むことがある。通知の表現は、ユーザが、その通知の表現を一目見るだけで、通知に関連付けられた情報を識別することが可能なように構成することができる。少なくとも一つの例示の実施形態において、或る装置は、手首着用装置の手首密着部分上に通知の表現の表示を生成する。例えば、この装置は、手首着用装置の手首密着部分上に通知の表現を表示することができ、別の表示用装置に通知の表現を示す情報を送信することなどが可能である。かかる例示の実施形態において、この手首密着部分は手首着用装置の主ディスプレイとは異なるものとすることができる。少なくとも一つの例示の実施形態において、この通知の表現は、イベントに関連付けられた通知型を示す。少なくとも一つの例示の実施形態において、或る装置は、手首着用装置の手首密着部分の手首密着部分ディスプレイ上に通知の表現を表示する。
【０１２６】
多くの環境において、ユーザが通知のステータスを知ることを望むことがある。例えば、ユーザは、より古い通知とより新しい通知、既視の通知とこれから見ることになる通知、表示されていない通知と表示済みの通知などを、区別できるようにしたいと望むこともあろう。少なくとも一つの例示の実施形態において、或る通知は通知ステータスを含む。通知ステータスは、通知の読み取りステータス、通知の応答ステータス、通知の表示ステータス、通知の優先度ステータスなどを示すことができる。少なくとも一つの例示の実施形態において、或る通知は、通知が表示されていないことを示す通知ステータス、または通知が表示されたことを示す異なる通知ステータスを含むことが可能である。一つ以上の例示の実施形態において、或る通知ステータスは通知の緊急度を示す。例えば、通知は、高い緊急度、低い緊急度、中間の緊急度などを示す通知ステータスを含むことができる。かかる例において、差し迫った締め切りに関連する通知は、ソーシャルメディアのコメントに関連する異なる通知よりも高い緊急度に関連付けることが可能である。このように、通知の通知ステータスは、ユーザが、通知を直ちに読むかどうか、後で通知に応答するかどうか、通知に関連する情報に従って行動するかどうかなどをよりうまく決定できるように、通知に関連付けられた関係情報を見分けることを可能にする。
【０１２７】
通知の表現を使って通知の識別を容易にするために、通知の表現を使って、通知に関連する情報を伝えることが望ましいことがある。少なくとも一つの例示の実施形態において、或る装置は通知に関連する通知属性を識別する。かかる例において、通知属性は、通知の緊急度、時間、用途、重要度、関連する通知の数、通知ステータス、通知型などを識別することが可能である。例えば、通知の表現は、通知に関連付けられた通知属性に少なくとも部分的に基づけばよい。このように、通知の表現を感知したユーザは、ユーザに通知属性を伝える通知の表現を介して、通知に関連付けられた情報を判断することができる。例えば、通知の表現の色が、通知に関連付けられた少なくとも一つの通知属性を示すことができよう。例えば、表現の色によって、緊急度、時間、用途、重要度、関連通知の数、通知ステータス、通知型などを示すことが可能である。例えば、通知の青色表現がテキストイベントに関連付けられた通知型を示してもよい。別の例では、通知の赤色表現で高い重要度を示すこともできよう。
【０１２８】
一部の環境では、手首着用装置の手首密着部分上の特定の位置に通知の表現を表示することによって、追加の情報を伝えることが望まれることがある。例えば、異なる通知の表現の上方に隣接して表示された通知の表現は、その通知が該異なる通知よりも重要であること、その通知が該異なる通知よりも新しいこと、その通知が該異なる通知ほど緊急ではないこと、などを示すことができよう。少なくとも一つの例示の実施形態において、或る装置は、手首着用装置の手首密着部分上の或る位置に通知の表現の表示を生成する。少なくとも一つの例示の実施形態において、手首着用装置の手首密着部分上の或る位置はその手首着用装置の手首密着部分上の空間位置である。一つ以上の例示の実施形態において、手首密着部分上の位置は、行と列とによって識別される。かかる実施形態において、行が手首密着部分の或る軸に対応した空間組分けでもよく、列が手首密着部分の別の軸に対応した空間組分けでもよい。例えば、手首着用装置の手首密着部分上の行は、手首密着部分の一つの側から手首密着部分の反対側に延びる空間組分けとすればよい。かかる例において、手首着用装置の手首密着部分上の列は、手首密着部分に沿って長手方向に延びる空間組分けとすればよい。例えば、図３Ａに表されているように、通知の四つの表現は、手首密着部分３０２上に四行一列の配列で表示される。図３Ｂの例は、三行三列の配列中で表示される、通知の八つの表現を表す。図３Ａ〜３Ｂに見ることができるように、これらの行はバンド部分を横切って水平方向に延び、列はバンド部分に沿って長手方向に延びる。少なくとも一つの例示の実施形態において、或る装置は、通知に関連付けられた少なくとも一つの通知属性に少なくとも部分的に基づいて、手首密着部分上の行および列によって識別される位置に通知の表現の表示を生成する。例えば、手首密着部分上の位置が通知属性を示すこと、手首密着部分上の行が通知属性を示すこと、手首密着部分上の列が通知属性を示すことなどが可能である。
【０１２９】
一部の環境では、通知の表現を見るユーザが、通知に関する実質的な情報、通知を取り巻くコンテキストなどを得ることが可能なように、通知の表現の表示を編成することが望まれることがある。例えば、ユーザが、通知に関連する時間的側面、二つ以上の通知の間の時間的関係などを一目で判断したいなどと望むことがあろう。かかる例において、手首着用装置の手首密着部分上の通知の表現の行によって、通知に関連するイベントの時間順的シーケンスを表すことが可能である。少なくとも一つの例示の実施形態において、或る装置は、通知時間に少なくとも部分的に基づいて、手首着用装置の手首密着部分上の通知の表現の位置を決定する。少なくとも一つの例示の実施形態において、或る装置は、通知に関連する通知時間に少なくとも部分的に基づいて、或る行に対応する手首密着部分上の位置に通知の表現の表示を生成する。通知時間は、例えば、通知に関連するイベントの発生に関連付けられた時間、通知の決定に関連付けられた時間などとすればよい。例えば、或る行に対応する位置に表示された通知の表現は或る通知時間を示し、異なる行に対応する位置に表示された異なる通知の表現は異なる通知時間を示すことができる。行に対応する手首密着部分上の位置によって、その通知と異なる行中の隣接位置との間の時間的隣接性を示すことが可能である。例えば、或る通知の表現は、同じ列内で、異なる通知の表現に隣接する行中に表示させることができる。かかる例において、通知の表現と異なる通知の表現との隣接性によって、該通知が、該異なる通知に関連付けられた異なるイベントより時間的に前に発生したイベント、該異なるイベントより時間的に後に発生したイベントなどに関連付けられていることを示すことが可能である。例えば、図３Ａに表されているように、表現３２２および３２４は、手首密着部分３０２上の同じ列内で隣接する行に表示される。表現３２２は、或るイベントに関する通知を表すことができ、表現３２４は、異なるイベントに関する異なる通知を表すことができる。表現３２２と３２４との間の隣接性によって、該イベントが該異なるイベントの時間的に前に生じたこと、該異なるイベントの時間的に後に生じたこと、などを示すことが可能である。
【０１３０】
一部の環境では、通知の表現を見るユーザが、通知に関する実質的な情報、通知を取り巻くコンテキストなどを得ることが可能なように、通知の表現の表示を編成することが望まれることがある。例えば、ユーザが、通知に関連する時間的側面、二つ以上の通知の間の時間的関係などを一目で判断したいと望むことがあろう。かかる例において、手首着用装置の手首密着部分上の通知の表現の列によって、通知に関連するイベントの時間順的シーケンスを表すことが可能である。少なくとも一つの例示の実施形態において、或る装置は、通知に関連する通知時間に少なくとも部分的に基づいて、列に対応する手首密着部分上の位置に通知の表現の表示を生成する。通知時間は、例えば、通知に関連するイベントの発生に関連付けられた時間、通知の決定に関連付けられた時間などとすればよい。例えば、或る列に対応する位置に表示された通知の表現が或る通知時間を示し、異なる列に対応する位置に表示された異なる通知の表現が異なる通知時間を示すようにすることができる。列に対応する手首密着部分上の位置によって、その通知と異なる列中の隣接位置との間の時間的隣接性を示すことが可能である。例えば、通知の表現は、同じ列内で、手首着用装置の手首密着部分上の異なる通知の表現に隣接させて表示させてもよい。かかる例において、通知の表現と異なる通知の表現との隣接性によって、該通知が、該異なる通知に関連付けられた異なるイベントの時間的に前に発生したイベント、該異なるイベントの時間的に後に発生したイベントなどに関連付けられていることを示すことが可能である。このように、列が、その列に対応する位置に表示されたイベントの時間順的シーケンスを表すことができる。
【０１３１】
一部の環境では、位置が通知のステータスを示すように、或る位置に通知の表現を表示することが望まれることがある。例えば、ユーザは、通知の重要度、通知の緊急度などをユーザがよりうまく評価ができるように、通知に関するステータス関連の情報を一目で識別することを可能にしたいと望むことがあろう。少なくとも一つの例示の実施形態において、或る装置は、通知ステータスに少なくとも部分的に基づいて、手首着用装置の手首密着部分上の通知の表現の位置を決定する。例えば、或る装置は、緊急度に少なくとも部分的に基づいて、手首着用装置の手首密着部分上の通知の表現の位置を決定することができる。例えば、嵐の警告に関連する通知は、高い緊急度を示し得、しかして、より低い緊急度に関連付けられた異なる位置よりも目立つ位置に表示されてよい。
【０１３２】
一部の環境では、通知ステータスに少なくとも部分的に基づいて、通知の表現の表示を或る行内に配置することが望まれることがある。例えば、一部のユーザは、通知ステータスに少なくとも部分的に基づいて或る行中に表示された幾つかの通知を素早く見分けることができよう。少なくとも一つの例示の実施形態において、或る装置は、通知に関連付けられた通知ステータスに少なくとも部分的に基づいて、或る行に対応する手首密着部分上の位置に通知の表現の表示を生成する。該行に対応する手首密着部分上の位置が、或る通知ステータス、異なる通知ステータスなどを示してもよい。例えば、或る行に対応する位置に表示された通知の表現が、或る通知ステータスを示してもよく、異なる行に対応する位置に表示された異なる通知の表現が異なる通知ステータスを示してもよい。例えば、或る通知の表現を、手首着用装置の手首密着部分上の、異なる通知の表現と同じ行内に表示させることができる。かかる例において、該通知と異なる通知とは、共通の通知ステータスを共有することが可能であり、類似の通知ステータスに関連付けることなども可能である。このように、行は、その行に対応する位置に表示される通知群の表現に関連付けられた通知の通知ステータスを表すことができる。
【０１３３】
一部の環境では、通知ステータスに少なくとも部分的に基づいて、通知の表現の表示を或る列内に配置することが望まれることがある。例えば、一部のユーザは、通知ステータスに少なくとも部分的に基づいて或る列中に表示された幾つかの通知を素早く見分けることができよう。少なくとも一つの例示の実施形態において、或る装置は、通知に関連付けられた通知ステータスに少なくとも部分的に基づいて、或る列に対応する手首密着部分上の位置に通知の表現の表示を生成する。該列に対応する手首密着部分上の位置が、或る通知ステータス、異なる通知ステータスなどを示してよい。例えば、或る列に対応する位置に表示された通知の表現が、或る通知ステータスを示してもよく、異なる列に対応する位置に表示された異なる通知の表現が異なる通知ステータスを示してもよい。例えば、或る通知の表現を、手首着用装置の手首密着部分上の、異なる通知の表現と同じ列内に表示させることができる。かかる例において、該通知と異なる通知とは、共通の通知ステータスを共有することが可能であり、類似の通知ステータスに関連付けることなども可能である。このように、列は、その列に対応する位置に表示される通知群の表現に関連付けられた通知の通知ステータスを表すことができる。
【０１３４】
一部の環境では、通知型に少なくとも部分的に基づいて、通知の表現の表示を或る行内に配置することが望まれることがある。例えば、ユーザが即応可能な特定の種類のいくつかの通知などを判断するため、類似の通知を即時に容易に見分けられるように、共通の通知型に関連付けられた通知を行群中にグループ分けすることを望まれることがあろう。少なくとも一つの例示の実施形態において、或る装置は、通知型に少なくとも部分的に基づいて、手首着用装置の手首密着部分上の通知の表現の位置を決定する。少なくとも一つの例示の実施形態において、或る装置は、通知に関連付けられた通知型に少なくとも部分的に基づいて、或る行に対応する手首密着部分上の位置に通知の表現の表示を生成する。該行に対応する手首密着部分上の位置が、或る通知型、異なる通知型などを示してもよい。例えば、或る行に対応する位置に表示された通知の表現が、或るアプリケーションイベントを示してもよく、異なる行に対応する位置に表示された異なる通知の表現が呼び出しイベントを示してもよい。例えば、或る通知の表現を、手首着用装置の手首密着部分上の、異なる通知の表現と同じ行内に表示させることができる。かかる例において、該通知と異なる通知とは、共通の通知型を共用することが可能であり、類似の通知型に関連付けることなども可能である。このように、行は、その行に対応する位置に表示される通知群の表現に関連付けられた通知の通知型を表すことができる。
【０１３５】
一部の環境では、通知型に少なくとも部分的に基づいて、通知の表現の表示を或る列内に配置することが望まれることがある。例えば、ユーザが即応可能な特定の種類のいくつかの通知などを判断するため、類似の通知を即時に容易に見分けられるように、共通の通知型に関連付けられた通知を列群中にグループ分けすることを望まれることがある。少なくとも一つの例示の実施形態において、或る装置は、通知に関連付けられた通知型に少なくとも部分的に基づいて、或る列に対応する手首密着部分上の位置に通知の表現の表示を生成する。該列に対応する手首密着部分上の位置が、或る通知型、異なる通知型などを示してもよい。例えば、或る列に対応する位置に表示された通知の表現が、或るアプリケーションイベントを示してもよく、異なる列に対応する位置に表示された異なる通知の表現が呼び出しイベントを示してもよい。例えば、或る通知の表現を、手首着用装置の手首密着部分上の、異なる通知の表現と同じ列内に表示させることができる。かかる例において、該通知と異なる通知とは、共通の通知型を共用することが可能であり、類似の通知型に関連付けることなども可能である。このように、列は、その列に対応する位置に表示される通知群の表現に関連付けられた通知の通知型を表すことができる。
【０１３６】
多くの環境において、ユーザが、通知の表現の位置が動的且つ直感的な仕方で変化することを望むことがある。例えば、ユーザは、関連する通知ステータスの変化、一つ以上のさらなる通知の受信などに少なくとも部分的に基づいて、通知の表現の位置が変化することを望むことがあろう。少なくとも一つの例示の実施形態において、或る装置は、通知の通知ステータスが異なる通知ステータスに変化したと判断する。例えば、通知の通知ステータスが異なる通知ステータスに変化したとの該判断は、手首着用装置の手首密着部分ディスプレイ上への通知の表示、手首着用装置の主ディスプレイ上への通知の表示、通知に関連付けられた通知選択入力を示す情報の受信などの発生に、少なくとも部分的に基づくことができる。少なくとも一つの例示の実施形態において、或る装置は、或る通知の通知ステータスの異なる通知ステータスへの変化を示す情報を、別の装置から受信する。かかる例示の実施形態において、通知の通知ステータスが異なる通知ステータスに変化したとの判断は、該通知の通知ステータスの異なる通知ステータスへの変化を示す情報に、少なくとも部分的に基づくことができる。少なくとも一つの例示の実施形態において、或る装置は、或る通知が読み取られたことを示す情報を受信する。この通知が読み取られたことを示す情報は、通知の表現が該装置によって表示されたこと、通知の表現が別個の装置によって表示されたこと、通知がユーザによって受領確認されたことなどを示す情報とすればよい。かかる例示の実施形態において、通知の通知ステータスが異なる通知ステータスに変化したとのこの判断は、通知が読み取られたことを示す情報に少なくとも部分的に基づくことができる。
【０１３７】
或る通知ステータスを含む通知と異なる通知ステータスを含む通知との間の明瞭で迅速な識別および区別を得るために、ユーザが、通知ステータスに少なくとも部分的に基づいて、通知の表現がグループ分けされるのを望むことがある。例えば、ユーザは、その通知ステータスを含む通知を一緒にグループ分けさせて一つの領域に表示させ、異なる通知ステータスを含む通知を一緒にグループ分けさせて異なる領域に表示させたいと望むことがあろう。例えば、ユーザが、或る通知ステータスに関連付けられた通知の表現は、手首着用装置の手首密着部分のより目立つ領域に表示させ、異なる通知ステータスに関連付けられた通知の表現は、手首着用装置の手首密着部分のより目立たない領域に表示させたいと望むことがある。
【０１３８】
少なくとも一つの例示の実施形態において、或る装置は、通知の通知ステータスに少なくとも部分的に基づいて、手首着用装置の手首密着部分上の通知の表現の位置を決定する。かかる例示の実施形態において、通知ステータスが異なる通知ステータスに変化することがあり得る。通知ステータスのかかる変化をユーザに伝えるために、装置はその通知の表現を異なる位置に移動することができる。
【０１３９】
少なくとも一つの例示の実施形態において、或る装置は、異なる通知ステータスに少なくとも部分的に基づいて、手首着用装置の手首密着部分上の通知の表現の異なる位置を決定する。例えば、手首着用装置の手首密着部分上の該通知の表現の位置が、主ディスプレイの或る側の近傍にあり、手首着用装置の手首密着部分上の該通知の表現の異なる位置が、主ディスプレイの反対側の近傍にあるようにできる。かかる例において、主ディスプレイの該側に近傍の位置は、手首着用装置の手首密着部分の他方の縁部よりも、主ディスプレイの一次側の手首密着部分の縁部に近い位置とすることができ、主ディスプレイの反対側に近傍の位置は、手首着用装置の手首密着部分の他方の縁部よりも主ディスプレイに近傍の、手首密着部分の縁部に近い位置とすることができる。かかる例において、主ディスプレイの該側に近傍の位置は、ユーザに対しより目立つ位置、より可視性の高い位置などであり得よう。例えば、主ディスプレイの該側に近傍の位置は、手首着用装置がユーザの手首に装着されたとき、手首着用装置の最上面であり、ユーザに面する位置などとすることができる。かかる例において、主ディスプレイの反対側に近傍の位置は、ユーザに対してより目立たない位置、より可視性が低い位置などとなろう。例えば、主ディスプレイの反対側に近傍の位置は、手首着用装置がユーザの手首に装着されたとき、手首着用装置の側面となる、ユーザに面しない位置などであり得る。
【０１４０】
少なくとも一つの例において、まだユーザに受信確認されていない通知の表現は、主ディスプレイの該側の近傍であり得る、より目立つ位置に表示すればよく、受信確認された別の通知の表現は、主ディスプレイの反対側の近傍であり得る、より目立たない位置に表示すればよい。別の例において、通知ステータスが緊急度の閾値を満たす緊急度を示す状況にあっては、手首着用装置の手首密着部分上の通知の表現の位置は、主ディスプレイの或る側の近傍とすることができる。かかる例において、異なる通知ステータスが緊急度の閾値を満たさない異なる通知緊急度を示す状況にあっては、手首着用装置の手首密着部分上の該異なる通知の表現の位置は、主ディスプレイの反対側の近傍とすればよい。緊急度の閾値は、正の閾値、負の閾値などとすることが可能である。例えば、緊急度の閾値を上回る緊急度に関連付けられた通知の表現は、より目立つ位置、ユーザに面する位置などに表示することができる。緊急度の閾値を下回る緊急度に関連付けられた通知の表現は、より目立たない位置、ユーザに面しない位置などに表示すればよい。
【０１４１】
前述したように、一部の環境では、手首着用装置の手首密着部分は一つ以上のバンドを備えることが可能である。かかる環境において、ユーザは、第一バンドから第二バンドに、第一バンドの部分から第二バンドの部分に、など通知が移動するのを望むことがある。少なくとも一つの例示の実施形態において、手首着用装置の手首密着部分上の通知の表現の位置は、第一バンド部分上の位置である。かかる例示の実施形態において、或る装置は、通知の通知ステータスの変化に少なくとも部分的に基づいて、通知の表現の表示に対する異なる位置を決定することができる。例えば、手首着用装置の手首密着部分上の通知の表現の異なる位置は、第二バンド部分上の位置とすればよい。例えば、通知ステータスが緊急度の閾値を満たす緊急度を示す状況にあっては、手首着用装置の手首密着部分上の通知の表現の位置は、第一バンド部分上の位置とすることができる。かかる例において、通知ステータスが緊急度の閾値を満たさない異なる通知緊急度を示す状況にあっては、手首着用装置の手首密着部分上の通知の表現の異なる位置は、第二バンド部分上の位置とすればよい。かかる例において、或る装置は、手首着用装置の手首密着部分上の異なる位置に通知の表現の表示を生成することができる。例えば、装置は、緊急度が第一バンド部分上に表示するための緊急度の閾値をもはや満たさないなど、通知に関連付けられた緊急度の変化に少なくとも部分的に基づいて、第二バンド部分上の位置に通知の表現の表示を生成することが可能である。しかして、装置は、該位置での通知の表現の表示を終了させ、異なる位置での通知の表現の表示を生成することができる。
【０１４２】
図３Ａの例では、表現３２６は、第一行と或る列とに対応する位置に表示され、表現３２８は、第二行とその列とに対応する位置に表示されている。図３Ａの例は、単一の列と複数の行とのレイアウトを表す。表現３２６および３２８は、通知型、通知ステータス、通知時間などに少なくとも部分的に基づいて、第一バンド部分の対応する位置に表示されてよい。例えば、表現３２６および３２８は、緊急度の閾値を満たす緊急度に関連付けることが可能で、その緊急度によって、手首密着部分３０４上の位置にこれら表現の表示を生成することができる。表現３２２および３２４は、通知型、通知ステータス、通知時間などに少なくとも部分的に基づいて、第二バンド部分に対応する位置に表示されてよい。例えば、表現３２２および３２４は、緊急度の閾値を満たさない緊急度に関連付けることが可能で、その緊急度によって、手首密着部分３０２上の位置にこれら表現の表示を生成することができる。表現３２６は、通知型、通知ステータス、通知時間などに少なくとも部分的に基づいて、主ディスプレイ３０８により近い位置に表示することが可能である。例えば、表現３２８に関連付けられた異なるイベントの前に生じたイベントに表現３２６を関連付ける、表現３２８に関連付けられた異なるイベントの後に生じたイベントに表現３２６を関連付ける、などができよう。別の例において、表現３２８に関連付けられた異なる緊急度より高い緊急度に表現３２６を関連付ける、表現３２８に関連付けられた異なる緊急度より低い緊急度に表現３２６を関連付ける、などすることも可能である。表現３２２、３２４、３２６、および３２８のそれぞれに関連付けられた色が、通知型、通知時間、通知ステータスなどを示してもよい。例えば、表現３２６は、表現３２６が緊急のシステムイベントに関連していることを示すため赤の色付きとしてもよい。別の例では、表現３２２は、表現３２２が非緊急の天候アプリケーションイベントに関連付けられていることを示すため黄色の色付きとすることもできよう。
【０１４３】
図３Ｂの例では、表現３７６は、手首密着部分３５４上の第一行と第三列とに対応する位置に表示され、表現３７８は、手首密着部分３５４上の第二行と第一列とに対応する位置に表示されている。図３Ｂの例は、複数の列と複数の行とのレイアウトを表す。図３Ｂの例は、三行と三列とを表しているが、行、列の数などは変えることができる。表現３７６および３７８は、通知型、通知ステータス、通知時間などに少なくとも部分的に基づいて、第一バンド部分に対応する位置に表示されてよい。例えば、表現３７６および３７８は、緊急度の閾値を満たす緊急度に関連付けることが可能で、その緊急度によって、手首密着部分３５４上の位置にこれら表現の表示を生成することができる。表現３７２および３７４は、通知型、通知ステータス、通知時間などに少なくとも部分的に基づいて、第二バンド部分に対応する位置に表示されてよい。例えば、表現３７２および３７４は、緊急度の閾値を満たさない緊急度に関連付けることが可能で、その緊急度によって、手首密着部分３５２上の位置にこれら表現の表示を生成することができる。表現３７６は、通知型、通知ステータス、通知時間などに少なくとも部分的に基づいて、第二行と第三列とに対応する異なる表現を、主ディスプレイ３５８により近い位置に表示することが可能である。例えば、異なる表現に関連付けられた異なるイベントの前に生じたイベントに表現３７６を関連付ける、異なる表現に関連付けられた異なるイベントの後に生じたイベントに表現３７６を関連付ける、などができよう。別の例において、表現３７６は、表現３７８に関連付けられた異なる緊急度より高い緊急度に関連付ける、表現３７８に関連付けられた異なる緊急度より低い緊急度に関連付ける、などすることも可能である。さらに別の例において、表現３７６および３７８は、未読の通知ステータスに少なくとも部分的に基づいて、手首密着部分３５４に対応する位置に表示することができ、表現３７２および３７４は、既読の通知ステータスに少なくとも部分的に基づいて、手首密着部分３５２に対応する位置に表示することができる。表現３７２、３７４、３７６、および３７８のそれぞれに関連付けられた色が、通知型、通知時間、通知ステータスなどを示してもよい。例えば、表現３７６は、表現３７６が緊急のシステムイベントに関連していることを示すため赤の色付きとしてもよい。別の例では、表現３７２は、表現３７２が非緊急の天候アプリケーションイベントに関連付けられていることを示すため黄色の色付きとすることもできよう。
【０１４４】
図３Ｂの例において、表現３７４および３７６は、それぞれ、手首密着部分３５２および３５４の第三列に対応する位置に表示されている。特定の列に対応する位置に通知の表現の表示を生成することによって、その列に表示される通知の通知型を示すことが可能である。例えば、第一列は、通知がシステムイベントに関連付けられていることを示すことができ、第二列は、通知が呼び出しイベントに関連付けられていることを示すことができ、第三列は、通知がテキストイベントに関連付けられていることを示すことができる。かかる例において、表現３７２は、呼び出しイベントに関連付けることが可能で、表現３７８は、システムイベントに関連付けることが可能で、表現３７４および３７６は、テキストイベントに関連付けることが可能である。第二バンド部分で且つ第三列上の位置の表現３７６の表示は、表現３７６がテキストイベントに関する受信確認された通知に関連付けられていることを示し、第一バンド部分で且つ第一列上の位置の表現３７８の表示は、表現３７８がシステムイベントに関する受信未確認の通知に関連付けられていることを示す、などが可能である。
【０１４５】
図３Ａ〜３Ｂの例は、通知の表現を、手首密着部分ディスプレイ上に表示された実線の水平バーとして表しているが、これらディスプレイの構成、通知の表現の方向、通知の表現の設計、行の数、列の数などは変えることが可能である。例えば、通知の表現は、破線の垂直向きバー、点線、円形などにしてもよい。
【０１４６】
図４Ａ〜４Ｂは、少なくとも一つの実施例に従う、手首着用装置の主ディスプレイ上の表示の情報を示す図である。図４Ａ〜４Ｂの例は、単なる例であって、特許請求の範囲を限定するものではない。例えば、主ディスプレイの構成は変えることが可能で、通知も変えることが可能で、通知の表現も変えることが可能で、通知の表現の表示も変えることが可能で、通知の表示も変えることが可能で、主ディスプレイに表示される情報なども変えることが可能である。
【０１４７】
一部の環境では、ユーザが、手首密着部分ディスプレイによって表示される通知の表現とは異なる通知の表現を見たいと望むことがある。例えば、最初に手首密着部分ディスプレイにより通知の表現を表示することは、前に説明した理由で望まれ得るが、ユーザは、異なるディスプレイを使ってその通知に関連するさらなる詳細を見たいと望むこともあろう。例えば、手首密着部分ディスプレイは、テキストの表示のため最適化されていないこと、視覚情報の表示には合わされていなことなどがあり得る。少なくとも一つの例示の実施形態において、或る装置は、通知に関連付けられた通知選択入力を示す情報を受信する。例えば、この通知選択入力は、通知の表現の位置に対応する、手首着用装置の手首密着部分上の位置でのタップ入力としてもよい。少なくとも一つの例示の実施形態において、或る装置は、通知選択入力に少なくとも部分的に基づいて、手首着用装置の主ディスプレイ上に通知の異なる表現の表示を生成する。
【０１４８】
例えば、ユーザが緊急の呼び出しイベントに関連付けられた通知を受信することがある。かかる例において、ユーザは、ユーザの手首着用装置の手首密着部分によって表示された通知の表現を、ユーザが、その通知は緊急であり、呼び出しイベントに関する通知であることを容易に識別できるようにしたいと望むことがあろう。ユーザは、通知の異なる表現をユーザの手首着用装置の主ディスプレイに表示させるために、該通知の表現の表示の位置に対応する、手首密着部分上の位置をタップすればよい。通知のこの異なる表現は、該通知、イベントなどに関するテキスト情報、視覚情報、識別情報、コンタクト情報、用途情報、時間情報などを含むことができる。
【０１４９】
図４Ａは、少なくとも一つの実施例に従う、手首着用装置の主ディスプレイ上の表示の情報を示す図である。図４Ａの例は、ホーム画面４０４を表示している主ディスプレイ４０２を表す。図４Ａの例において、ホーム画面４０４は、時刻およびカレンダ情報を表示するように構成され、これは手首着用装置のユーザが周期的ベースで見るのに特に望ましいかもしれない。図４Ａの例は、時刻およびカレンダ情報を表示するように構成されたホーム画面を表しているが、ホーム画面のコンテンツを変えること、ホーム画面の設定を変えることなどが可能である。
【０１５０】
図４Ｂは、少なくとも一つの実施例に従う、手首着用装置の主ディスプレイ上に表示するための通知の或る表現を示す図である。図４Ｂの例は、表現４１４を表示している主ディスプレイ４１２を表す。表現４１４は、図３Ａ〜３Ｂに表された手首着用装置の手首密着部分上に表示された通知の異なる表現とすることが可能である。例えば、表現４１４は、図３Ｂの表現３７２に関連付けられた通知選択入力を示す情報の受信に少なくとも部分的に基づいて、主ディスプレイ４１２上に表示させることができる。しかして、図４Ｂに表された通知の表現の第二列は、呼び出しイベントに関連付けることが可能で、これら通知の表現の一つに対応する位置への通知選択入力の受信によって、該呼び出しイベント通知の異なる表現の表示を生成することができる。図４Ｂの例は、呼び出しイベントに関連付けられた通知型およびコンタクト情報を表示するよう構成された通知の表現を表しているが、通知のコンテンツを変えることは可能で、通知の表現の設定を変えることなども可能である。
【０１５１】
図５は、少なくとも一つの実施例に従う、手首着用装置の主ディスプレイ上への通知の表現の表示の生成に関連する動作を示す流れ図である。少なくとも一つの例示の実施形態において、図５の動作に対応するオペレーションのセットがある。例えば図１の電子装置１０などの装置またはその一部は、オペレーションのこのセットを用いることができる。本装置は、かかるオペレーションの実行のため、例えば、図１のプロセッサ１１を含む諸手段を備えることが可能である。或る例示の実施形態において、例えば図１の電子装置１０などの装置は、例えば図１のプロセッサ１１などのプロセッサと協働して本装置に図５のオペレーションのセットを実行させるよう構成されたコンピュータコードを備えた、例えば図１のメモリ１２などのメモリを有することによって変換される。
【０１５２】
ブロック５０２で、本装置は、イベントの発生に少なくとも部分的に基づいて、通知を決定し、通知は該イベントに関連付けられた通知型を含む。これら決定、通知、イベントの発生、および通知型は、図２Ａ〜２Ｄ、図３Ａ〜３Ｂ、および図４Ａ〜４Ｂに関して説明したものと同様とすればよい。
【０１５３】
ブロック５０４で、装置は、手首着用装置の手首密着部分上の位置に通知の表現の表示を生成し、この手首密着部分は主ディスプレイとは異なったもので、通知の表現は通知型を示す。表示の生成、通知の表現、手首着用装置、手首着用装置の手首密着部分、手首着用装置の手首密着部分上の位置、および主ディスプレイは、図２Ａ〜２Ｄ、図３Ａ〜３Ｂ、および図４Ａ〜４Ｂに関して説明したものと同様とすればよい。
【０１５４】
ブロック５０６で、装置は、通知に関連付けられた通知選択入力を示す情報を受信する。情報の受信および通知に関連付けられた通知選択入力は、図２Ａ〜２Ｄ、図３Ａ〜３Ｂ、および図４Ａ〜４Ｂに関して説明したものと同様とすればよい。
【０１５５】
ブロック５０８で、装置は、この通知選択入力に少なくとも部分的に基づいて、手首着用装置の主ディスプレイ上に通知の異なる表現の表示を生成する。表示の生成、および通知の異なる表現は、図２Ａ〜２Ｄ、図３Ａ〜３Ｂ、および図４Ａ〜４Ｂに関して説明したものと同様とすればよい。
【０１５６】
図６は、少なくとも一つの実施例に従う、異なる位置への通知の表現の表示の生成に関連する動作を示す流れ図である。少なくとも一つの例示の実施形態において、図６の動作に対応するオペレーションのセットがある。例えば図１の電子装置１０などの装置またはその一部は、オペレーションのこのセットを用いることができる。本装置は、かかるオペレーションの実行のため、例えば、図１のプロセッサ１１を含む諸手段を備えることが可能である。或る例示の実施形態において、例えば図１の電子装置１０などの装置は、例えば図１のプロセッサ１１などのプロセッサと協働して本装置に図６のオペレーションのセットを実行させるよう構成されたコンピュータコードを含む、例えば図１のメモリ１２などのメモリを有することによって変換される。
【０１５７】
前述したように、一部の環境では、通知に関連付けられた通知ステータスに少なくとも部分的に基づいた位置に、通知の表現の表示を生成することが望まれることがある。かかる環境において、通知に関連付けられた通知ステータスの変化に少なくとも部分的に基づいて、異なる位置に通知の表現の表示を生成するのを望まれることがある。
【０１５８】
ブロック６０２で、本装置は、イベントの発生に少なくとも部分的に基づいて、通知を決定し、通知は該イベントに関連付けられた通知型および通知ステータスを含む。これら決定、通知、イベントの発生、および通知型は、図２Ａ〜２Ｄ、図３Ａ〜３Ｂ、および図４Ａ〜４Ｂに関して説明したものと同様とすればよい。
【０１５９】
ブロック６０４で、装置は、通知ステータスに少なくとも部分的に基づいて、ディスプレイ上の通知の表現の表示の位置を決定する。これら決定、位置、通知の表現、および表示は、図２Ａ〜２Ｄ、図３Ａ〜３Ｂ、および図４Ａ〜４Ｂに関して説明したものと同様とすればよい。
【０１６０】
ブロック６０６で、装置は、ディスプレイ上の位置に通知の表現の表示を生成する。このディスプレイ上の位置への通知の表現の表示の生成は、図２Ａ〜２Ｄ、図３Ａ〜３Ｂ、および図４Ａ〜４Ｂに関して説明したものと同様とすればよい。
【０１６１】
ブロック６０８で、装置は、通知の通知ステータスが異なる通知ステータスに変化したと判断する。これら判断、異なる通知ステータス、および異なる通知ステータスへの変化は、図２Ａ〜２Ｄ、図３Ａ〜３Ｂ、および図４Ａ〜４Ｂに関して説明したものと同様とすればよい。
【０１６２】
ブロック６１０で、装置は、異なる通知ステータスに少なくとも部分的に基づいて、ディスプレイ上の通知の表現の表示に対する異なる位置を決定する。これら決定、およびディスプレイ上の通知の表現の異なる位置は、図２Ａ〜２Ｄ、図３Ａ〜３Ｂ、および図４Ａ〜４Ｂに関して説明したものと同様とすればよい。
【０１６３】
ブロック６１２で、装置は、ディスプレイ上の異なる位置に通知の表現の表示を生成する。これら表示の生成、およびディスプレイ上の異なる位置への通知の表現の表示は、図２Ａ〜２Ｄ、図３Ａ〜３Ｂ、および図４Ａ〜４Ｂに関して説明したものと同様とすればよい。
【０１６４】
図７は、少なくとも一つの例示的な実施形態による、手首着用装置の手首密着部分上の異なる位置への通知の表現の表示の生成に関連する動作を示す流れ図である。少なくとも一つの例示の実施形態において、図７の動作に対応するオペレーションのセットがある。例えば図１の電子装置１０などの装置またはその一部は、オペレーションのこのセットを用いることができる。本装置は、かかるオペレーションの実行のため、例えば、図１のプロセッサ１１を含む諸手段を備えることが可能である。或る例示の実施形態において、例えば図１の電子装置１０などの装置は、例えば図１のプロセッサ１１などのプロセッサと協働して本装置に図７のオペレーションのセットを実行させるよう構成されたコンピュータコードを含む、例えば図１のメモリ１２などのメモリを有することによって変換される。
【０１６５】
前述したように、一部の環境では、通知に関連付けられた通知ステータスに少なくとも部分的に基づいた、手首着用装置の手首密着部分上の位置に、通知の表現の表示を生成することが望まれることがある。かかる環境において、通知に関連付けられた通知ステータスの変化に少なくとも部分的に基づいて、手首着用装置の手首密着部分上の異なる位置に通知の表現の表示を生成するのを望まれることがある。
【０１６６】
ブロック７０２で、本装置は、イベントの発生に少なくとも部分的に基づいて、通知を決定し、通知は該イベントに関連付けられた通知型および通知ステータスを含む。これら決定、通知、イベントの発生、通知型、および通知ステータスは、図２Ａ〜２Ｄ、図３Ａ〜３Ｂ、および図４Ａ〜４Ｂに関して説明したものと同様とすればよい。
【０１６７】
ブロック７０４で、装置は、通知ステータスに少なくとも部分的に基づいて、手首着用装置の手首密着部分上に、通知の表現の表示のための位置を決定する。これら決定、位置、通知の表現、手首着用装置、および手首着用装置の手首密着部分は、図２Ａ〜２Ｄ、図３Ａ〜３Ｂ、および図４Ａ〜４Ｂに関して説明したものと同様とすればよい。
【０１６８】
ブロック７０６で、装置は、手首着用装置の手首密着部分上の位置に通知の表現の表示を生成する。この手首着用装置の手首密着部分上の位置への通知の表現の表示の生成は、図２Ａ〜２Ｄ、図３Ａ〜３Ｂ、および図４Ａ〜４Ｂに関して説明したものと同様とすればよい。
【０１６９】
ブロック７０８で、装置は、通知に関連付けられた通知選択入力を示す情報を受信する。これら情報の受信および通知に関連付けられた通知選択入力は、図２Ａ〜２Ｄ、図３Ａ〜３Ｂ、および図４Ａ〜４Ｂに関して説明したものと同様とすればよい。
【０１７０】
ブロック７１０で、装置は、この通知選択入力に少なくとも部分的に基づいて、手首着用装置の主ディスプレイ上に通知の異なる表現の表示を生成する。これら表示の生成、通知の異なる表現、主ディスプレイ、および主ディスプレイ上の通知の異なる表現の表示は、図２Ａ〜２Ｄ、図３Ａ〜３Ｂ、および図４Ａ〜４Ｂに関して説明したものと同様とすればよい。
【０１７１】
ブロック７１２で、装置は、通知の通知ステータスが異なる通知ステータスに変化したと判断する。これら判断、異なる通知ステータス、および異なる通知ステータスへの変化は、図２Ａ〜２Ｄ、図３Ａ〜３Ｂ、および図４Ａ〜４Ｂに関して説明したものと同様とすればよい。
【０１７２】
ブロック７１４で、装置は、異なる通知ステータスに少なくとも部分的に基づいて、手首着用装置の手首密着部分上の、通知の表現の表示に対する異なる位置を決定する。これら決定、および手首着用装置の手首密着部分上の通知の表現の表示に対する異なる位置は、図２Ａ〜２Ｄ、図３Ａ〜３Ｂ、および図４Ａ〜４Ｂに関して説明したものと同様とすればよい。
【０１７３】
ブロック７１６で、装置は、手首着用装置の手首密着部分上の異なる位置に通知の表現の表示を生成する。これら表示の生成、および手首着用装置の手首密着部分上の異なる位置への通知の表現の表示は、図２Ａ〜２Ｄ、図３Ａ〜３Ｂ、および図４Ａ〜４Ｂに関して説明したものと同様とすればよい。
【０１７４】
図８は、少なくとも一つの例示的な実施形態による、緊急度に基づく、通知の表現の表示に対する位置の決定に関連する動作を示す流れ図である。少なくとも一つの例示の実施形態において、図８の動作に対応するオペレーションのセットがある。例えば図１の電子装置１０などの装置またはその一部は、オペレーションのこのセットを用いることができる。本装置は、かかるオペレーションの実行のため、例えば、図１のプロセッサ１１を含む諸手段を備えることが可能である。或る例示の実施形態において、例えば、図１の電子装置１０は、例えば図１のプロセッサ１１などのプロセッサと協働して本装置に図８のオペレーションのセットを実行させるよう構成されたコンピュータコードを含む、例えば図１のメモリ１２などのメモリを有することによって変換される。
【０１７５】
前述したように、一部の環境では、通知に関連付けられた通知ステータスに少なくとも部分的に基づいた、手首着用装置の手首密着部分上の位置に、通知の表現の表示を生成することが望まれることがある。例えば、主ディスプレイの或る側、主ディスプレイの反対側などの手首着用装置の手首密着部分上の、通知に関連付けられた緊急度に少なくとも部分的に基づいた位置に、通知の表現の表示を生成するのを望まれることがある。かかる環境において、通知に関連付けられた緊急度の変化に少なくとも部分的に基づいて、主ディスプレイの異なる側上に通知の表現の表示を生成することが望まれることがある。
【０１７６】
ブロック８０２で、本装置は、イベントの発生に少なくとも部分的に基づいて、通知を決定し、通知は該イベントに関連付けられた通知型および通知ステータスを含み、通知ステータスは通知の緊急度を示す。これら決定、通知、イベントの発生、通知型、通知ステータス、および通知の緊急度は、図２Ａ〜２Ｄ、図３Ａ〜３Ｂ、および図４Ａ〜４Ｂに関して説明したものと同様とすればよい。
【０１７７】
ブロック８０４で、装置は、緊急度が緊急度の閾値を満たしているかどうかを判断する。装置が緊急度は緊急度の閾値を満たしていると判断した場合、フローはブロック８０６に進む。装置が緊急度は緊急度の閾値を満たしていないと判断した場合、フローはブロック８０８に進む。これら判断および緊急度の閾値は、図２Ａ〜２Ｄ、図３Ａ〜３Ｂ、および図４Ａ〜４Ｂに関して説明したものと同様とすればよい。
【０１７８】
ブロック８０６で、装置は、手首着用装置の手首密着部分上の、主ディスプレイの或る側に近傍の位置に通知の表現の表示のための位置を決定する。これら決定、通知の表現、手首着用装置、手首着用装置の手首密着部分、手首着用装置の手首密着部分上の通知の表現の表示、主ディスプレイ、主ディスプレイの側、および主ディスプレイの側に近傍の位置は、図２Ａ〜２Ｄ、図３Ａ〜３Ｂ、および図４Ａ〜４Ｂに関して説明したものと同様とすればよい。
【０１７９】
ブロック８０８で、装置は、手首着用装置の手首密着部分上の、主ディスプレイの反対側に近傍の位置に通知の表現の表示のための位置を決定する。これら決定、通知の表現、手首着用装置、手首着用装置の手首密着部分、手首着用装置の手首密着部分上の通知の表現の表示、主ディスプレイ、主ディスプレイの反対側、および主ディスプレイの反対側に近傍の位置は、図２Ａ〜２Ｄ、図３Ａ〜３Ｂ、および図４Ａ〜４Ｂに関して説明したものと同様とすればよい。ブロック８１０で、装置は、手首着用装置の手首密着部分上の該位置に通知の表現の表示を生成する。これら表示の生成、および手首着用装置の手首密着部分上の位置への通知の表現の表示は、図２Ａ〜２Ｄ、図３Ａ〜３Ｂ、および図４Ａ〜４Ｂに関して説明したものと同様とすればよい。
【０１８０】
本発明の諸実施形態は、ソフトウェア、ハードウェア、アプリケーションロジック、またはソフトウェア、ハードウェア、およびアプリケーションロジックの組み合わせで実装することができる。これらソフトウェア、アプリケーションロジック、および／またはハードウェアは、本装置、別個のデバイス、または複数の別個デバイスに常駐させることが可能である。必要な場合、ソフトウェア、アプリケーションロジック、および／またはハードウェアの一部を本装置に常駐させ、ソフトウェア、アプリケーションロジック、および／またはハードウェアの一部を別個のデバイスに常駐させ、ソフトウェア、アプリケーションロジック、および／またはハードウェアの一部を複数の別個デバイスに常駐させてもよい。或る例示の実施形態において、アプリケーションロジック、ソフトウェア、または命令のセットが、様々な従来型コンピュータ可読媒体の任意の一つに維持される。
【０１８１】
必要な場合、本明細書で説明した種々の機能は、互いに異なった順序および／または同時に実行することができる。例えば、図７のブロック７１０は、図７のブロック７１２の後で実行することも可能である。さらに、必要な場合、前述した諸機能の一つ以上を任意としてもよく、または組み合わせてもよい。例えば、図６のブロック６０８は、任意とすることも、および／または図６のブロック６１０と組み合わせることも可能である。
【０１８２】
本発明の様々な態様が独立請求項中に述べられているが、本発明の他の態様は、説明した実施形態および／または従属請求項のからの特徴と、独立請求項からの特徴との他の組み合わせを含み、特許請求の範囲に明示で述べられた組み合せだけではない。
【０１８３】
例えば、手首着用装置だけが言及されている前述の任意の適切な実施形態において、該実施形態は、使用時に手首周りに装着可能な装置であって、必ずしも手首だけに装着可能なものには限定されず、それに換えてまたは加えて、例えば、ユーザの腕もしくは他の手足またはウエストもしくは首の周りなど、身体上の他の箇所またはオブジェクトに装着または取り付けるのに適したものにも言及していると見なすべきである。
【０１８４】
例えば、手首密着部分への言及を含め身体部分への密着の言及は、身体接触部分にも、さらには、該部分を取り外し可能に取り付けることができる身体またはオブジェクトの一部を取り外し可能に把持できる身体接触部分にも言及すると見なされるべきである。
【０１８５】
諸実施形態中の手首着用装置への言及は、適切な場合、手首または他の身体部分に着用可能な身体ウェアラブル装置についても言及していると見なすことができる。同様に、前述の手首着用装置の手首密着部分への言及は、適切な場合、身体の別の部位に接触している身体ウェアラブル装置の部分にも言及すると見なすこともできよう。例えば、本明細書に記載の諸実施形態において、身体に接触している身体ウェアラブル装置の一部は、装置をしっかりとそれぞれの身体部位に位置付けるために、身体を把持または身体に密着することが可能である。いくつかの実施形態において、これは、主ディスプレイを、身体ウェアラブル装置を装着しているユーザの視野内に位置付けることになる。少なくとも一つの実施形態において、通知装置は、主ディスプレイおよび少なくとも一つの細長ディスプレイ部を備える。細長ディスプレイ部の少なくとも一つは、ユーザが装着可能であり、通知装置の使用時に、ユーザの身体部分に接触もしくは密着しまたはこれを把持している身体接触部分を備える。
【０１８６】
また、本通知装置は、主ディスプレイおよび／または第一細長ディスプレイ部に接続可能な第二細長ディスプレイ部をさらに備えることができる。第二細長ディスプレイ部は、通知装置が、第一細長ディスプレイ部とは関係なくもしくは第一細長ディスプレイ部と連結して、身体またはオブジェクトに取り付けられることを、可能にするよう構成することができる。例えば、これらの細長部は、弾力的に変形可能な材料で形成し、手首または首などの身体箇所に巻きついて湾曲するようにしてもよい。あるいは、例えば、細長身体部分の一方または双方が、適切な係合部材を用いて主ディスプレイと係合することも可能である。例えば、細長ディスプレイ部がストラップを備え、一つのストラップが、バックルとバックルの突起部または凸部によって係合するための他の部分の受け手段とを有するようにしてもよい。
【０１８７】
いくつかの実施形態において、本装置は、対の一方のデバイスとし、および／または、別のデバイスから通知を受信するようにすることができる。例えば、位置情報サービスを含む、および／または歩速など運動関連の情報を提供する或るアプリケーションを、対の一方のデバイス（または任意の他の適切にペア化されたデバイス）上に配置してもよい。手首着用装置に通知を提供できるデバイスの別の例には、ユーザの胸部に巻いて装着される心拍数モニタベルトが含まれ、これは、例えば、ユーザの心拍数が、或る時間幅に対する分あたりの或る脈拍数を超えた場合、通知を提供することが可能である。
【０１８８】
対の一方またはペア化されたデバイスの別の例には、手首着用装置よりも長距離の通信機能を有するスマートフォンまたはデバイスが含まれる。この場合、受信された電話連絡は、例えば、本装置の主ディスプレイおよび／または手首密着部分上において通知することができる。
【０１８９】
いくつかの実施形態において、主ディスプレイまたは細長ディスプレイのどちらかがタッチ感応ディスプレイを備えている場合、通知選択入力はそれらへのタッチ入力を含む。いくつかの実施形態において、通知選択入力は、主ディスプレイのタッチスクリーン上で行われる所定の一回タッチまたは複数回タッチ行為（例えば、スワイプまたはタップ）を含む。いくつかの他の実施形態において、通知選択入力は、細長ディスプレイ部に対して行われる。いくつかの実施形態において、通知選択入力は装置自体の動きを含み、この例には、腕を下げた状態から、装置の装着者が見るために主ディスプレイを水平に位置させるよう腕を動かすこと、また、装着者の手首の回転などの動きが含まれる。
【０１９０】
いくつかの実施形態において、例えば、通知選択入力は、手首密着部分の通知を表示している部分にタッチすることを含み、例えば、赤色通知が受信されなかった呼び出しを示している場合、ユーザは、手首バンド／ストラップのその赤色部分にタッチすればよい。いくつかの実施形態において、これにより、該発色通知を、例えば、主ディスプレイの反対側に位置する手首バンド／ストラップ上の第二位置に移動させることができる。本発明のこの実施形態および他の実施形態において、第二場所にタッチするなど第二の通知入力を与えることで、通知を解除することが可能である。また、本発明のいくつかの実施形態において、第一および／または第二選択入力によって、通知に関連付けられたさらなる情報を主ディスプレイ上に表示させることが可能で、かかる表示は、一時的なもの、または通知が手首密着部分の遠位側に移動する動画の一部としてもよい。
【０１９１】
本発明の前述および他の実施形態において、通知の表現は、通知に関連付けられた少なくとも一つの通知属性を示す色を使って、細長ディスプレイ上に表示することができる。これに換えてまたは加えて、通知の表現は、通知に関連付けられた少なくとも一つの通知属性を示す可変光色を使って、細長ディスプレイ上に表示してもよい。通知の表現は、上記に加えてまたはその代わりに、通知に関連付けられた少なくとも一つの通知属性を示す点滅動作を使って、細長ディスプレイ上に表示することも可能である。
【０１９２】
また、本明細書において前述で本発明の例示の諸実施形態を説明してきたが、これらの説明は、限定的意味で見るべきではないことに留意する。むしろ、添付の特許請求の範囲に定義された本発明の範囲から逸脱することなく実施可能な諸変形および諸修改がある。
【０１９３】
以下に再述する要約文は、本明細書の一部を形成する。
【０１９４】
或るイベントの発生に少なくとも部分的に基づいて通知を決定することであって、該通知は、イベントに関連付けられた通知型を含む、該決定することと、手首着用装置の手首密着部分上の位置に通知の表現の表示を生成することであって、手首密着部分は主ディスプレイとは異なるものであり、通知の表現が通知型を示す、該生成することと、通知に関連付けられた通知選択入力を示す情報を受信することと、該通知選択入力に少なくとも部分的に基づいて、手首着用装置の主ディスプレイ上に通知の異なる表現の表示を生成することと、を含む方法が開示される。
【図１】
0006353050.tif 000002
【図２Ａ】
0006353050.tif 000003
【図２Ｂ】
0006353050.tif 000004
【図２Ｃ】
0006353050.tif 000005
【図２Ｄ】
0006353050.tif 000006
【図３】
0006353050.tif 000007
【図４】
0006353050.tif 000008
【図５】
0006353050.tif 000009
【図６】
0006353050.tif 000010
【図７】
0006353050.tif 000011
【図８】
0006353050.tif 000012